(57)【要約】個別信号ユニットの少なくとも一つのセンサーによって感知される事故に応答する、監視装置。前記応答は第一に、前記個別信号ユニットによって中央管理機能に、個別信号装置のための少なくとも一つの固有の識別コードの通信ネットワークを通しての送信から構成され、前記応答は第二に、前記個別信号ユニットの登録された所有者によって一つかそれ以上の指定される受信者への前記中央管理機能からのデータ送信から構成され、および前記個別信号ユニットの登録および前記応答を感知する構築は、ウェブ基盤インターフェースを経由する。請求項１の監視装置は、前記第一の前記応答は、前記個別信号ユニットへのデジタルまたはアナログのデータ入力を含む。追加的な形態では、関心項目の状況を監視する方法が開示される。前記方法は、以下のステップを含む。（ｉ）個別信号ユニットおよび前記装置に接続するための少なくとも一つのユーザー選択式センサーの所有者によって購入する、（ｊ）前記個別信号ユニットおよび前記少なくとも一つのセンサーを中央管理機能に登録する、（ｊ）前記個別信号ユニットによって送信される信号の前記中央管理機能による受信に、前記中央管理機能によって実行できる応答を構築する。【選択図】図１
2009543484.tif 000002
【特許請求の範囲】
【請求項１】
個別信号ユニットの少なくとも一つのセンサーによって感知される事故に応答する監視システムにおいて、前記応答は第一に、前記個別信号ユニットによって中央管理機能に、個別信号ユニットのための少なくとも一つの固有の識別コードの、通信ネットワークを通した送信から構成され、前記応答は第二に、前記個別信号ユニットの一つかそれ以上の登録された所有者によって指定される受信者への前記中央管理機能からのデータ送信から構成され、および、前記個別信号ユニットの登録および感知と前記応答の構築は、ウェブ基盤のインターフェースを経由することを特徴とする監視システム。
【請求項２】
前記第一の前記応答は、前記個別信号ユニットへのデジタルまたはアナログデータ入力を含む、請求項１に記載の監視システム。
【請求項３】
前記デジタルまたはアナログデータ入力は、前記中央管理機能にリアルタイムで送信される、請求項２に記載の監視システム。
【請求項４】
前記デジタルまたはアナログデータ入力は送信の前に、前記個別信号ユニットのデータ保存装置に保存される、請求項２に記載の監視システム。
【請求項５】
前記少なくとも一つのセンサーは前記個別信号ユニットに内蔵される、請求項１から４のいずれか一つに記載の監視システム。
【請求項６】
前記少なくとも一つのセンサーは前記個別信号ユニットの入力ポートに接続される外部センサーである、請求項１から４のいずれか一つに記載の監視システム。
【請求項７】
前記個別信号ユニットはさらに再充電式電力供給を含む、請求項１から６のいずれか一つに記載の監視システム。
【請求項８】
前記再充電し起電力供給はソーラー電池によって再充電できる、請求項７に記載の監視システム。
【請求項９】
前記ウェブ基盤インターフェースは少なくとも一つのウェブページを含み、前記ウェブページは少なくとも一つのデータ入力フィールドが備わる、請求項１から８のいずれか一つに記載の監視システム。
【請求項１０】
前記個別信号ユニットは固有の個別信号ユニット識別コードが備わり、前記固有の個別信号ユニット識別コードは前記中央管理機能に送信される前記信号から構成される、請求項１から９のいずれか一つに記載の監視システム。
【請求項１１】
前記少なくとも一つの外部事象センサーはそれぞれ、前記固有の識別コードの固有の一連の反復送信に関連し、前記固有の一連の反復送信は前記中央管理機能に送信される前記信号から構成される、請求項１から１０のいずれか一つに記載の監視システム。
【請求項１２】
前記個別信号ユニットはそれぞれ、少なくとも一つの外部事象センサーが備わる、請求項１から１１のいずれか一つに記載の監視システム。
【請求項１３】
前記少なくとも一つの外部事象センサーは、前記センサーの刺激による変化に応答するよう適合される、請求項１２に記載の監視システム。
【請求項１４】
前記少なくとも一つの外部事象センサーは所定の刺激に応答するよう適合される、請求項１２または１３に記載の監視システム。
【請求項１５】
前記個別信号ユニットは、前記刺激での変化で前記少なくとも一つの外部事象センサーからの入力信号を受信する、請求項１３または１４に記載の監視システム。
【請求項１６】
前記中央管理機能は前記通信ネットワークと通信する送受信機モジュールを含む、請求項１から１５のいずれか一つに記載の監視システム。
【請求項１７】
前記送受信機モジュールはサーバーおよびデータ保存装置にリンクされ、前記サーバーおよびデータ保存装置は前記個別信号ユニットのいずれか一つから受信される信号を処理するよう適合される、請求項１６に記載の監視システム。
【請求項１８】
前記サーバーおよびデータ保存装置は少なくとも一つの事前にプログラム化された出力を開始するよう適合される、前記出力または出力（複数）は前記固有の識別コードによって決まる、請求項１７に記載の監視システム。
【請求項１９】
前記個別信号ユニットは少なくとも一つの入力が備わり、前記少なくとも一つの入力は一つの前記センサーと通信するよう適合される、請求項１から１８のいずれか一つに記載の監視システム。
【請求項２０】
前記個別信号ユニットは少なくとも一つの出力が備わり、前記少なくとも一つの出力は外部装置を制御するよう適合される、請求項１から１９のいずれか一つに記載の監視システム。
【請求項２１】
前記サーバーおよびデータ保存装置は、少なくとも一つの指定された受信者に既定の通信を開始するよう適合され、前記通信は前記個別信号ユニットから受信される信号によって決まる、請求項１７から２０のいずれか一つに記載の監視システム。
【請求項２２】
前記少なくとも一つの指定された受信者は、前記監視システムに登録された前記個別信号ユニットの所有者である、請求項２１に記載の監視システム。
【請求項２３】
前記少なくとも一つの指定された受信者は、前記個別信号ユニットの前記所有者によって指定されるサービスプロバイダである、請求項２１に記載の監視システム。
【請求項２４】
個別信号ユニットにおいて、前記個別信号ユニットはそれぞれ、
（ａ）送受信機モジュール
（ｂ）再充電式電力供給および電力制御モジュール
（ｃ）論理回路
（ｄ）少なくとも一つの外部事象センサー
を含み、および前記個別信号ユニットから中央管理機能への信号によって前記中央管理機能は複数の所定のステップを実行し、前記所定のステップは前記個別信号ユニットの所有者によって構築されることを特徴とする監視システム。
【請求項２５】
監視システムのための装置において、前記装置は個別信号ユニット、および前記個別信号ユニットに接続される少なくとも一つの所有者選択式センサーから構成され、前記個別信号ユニットおよび前記少なくとも一つのセンサーは前記ユーザーによって中央管理機能に登録され、前記個別信号ユニットは前記少なくとも一つのセンサーが事故を検出するとき、前記中央管理機能に固有の装置識別コードを送信するようプログラム化され、前記中央管理機能は、前記所有者による前記ユニットの登録で設立されたプロトコルに従って送信される前記固有の装置識別コードに応答することを特徴とする、監視システム。
【請求項２６】
インターネットおよび通信システムによって可能である監視システムにおいて、前記システムは複数の個別信号ユニットを含み、それぞれの前記装置は少なくとも一つの所有者選択式センサーに接続され、それぞれの前記個別信号ユニットおよび前記少なくとも一つのセンサーは、前記所有者によって前記インターネットを通じて中央管理機能に登録され、前記中央管理機能は、前記所有者による登録で設立されたプロトコルに従って前記センサーによって感知される事故に応答することを特徴とする監視システム。
【請求項２７】
関心項目の状況を監視する方法において、前記方法は、以下のステップ：
（ａ）個別信号ユニット、および前記装置に接続するための少なくとも一つのユーザー選択式センサーの所有者による購入。
（ｂ）前記個別信号ユニットおよび前記少なくとも一つのセンサーを、中央管理機能に登録。
（ｃ）前記個別信号ユニットによって送信される信号の前記中央管理機能による受信で、前記中央管理機能によって実行できる応答を構築
を含む監視システム。
【請求項２８】
前記信号は、前記個別信号ユニットの固有の識別コードから構成される、請求項２７に記載の方法。
【請求項２９】
前記個別信号ユニットの前記登録は、以下のステップ：
（ａ）前記中央管理機能によって維持されるウェブサイトにアクセス。
（ｂ）ユーザーネームおよびパスワードを中央管理機能で開設。
（ｃ）前記ウェブサイトに前記個別信号ユニットの登録コードを入力。
（ｄ）前記個別信号ユニットのためにユーザーに選択された識別ネームを入力。
（ｅ）前記個別信号ユニットに接続される一つかそれ以上のセンサーの詳細を入力。
（ｆ）前記中央管理機能によって実行できる前記応答の詳細を入力。
を含む、請求項２７または２８に記載の方法。
【請求項３０】
地理的に散在するインフラストラクチャの項目の、少なくとも一つの様相の状態を監視する方法において、前記方法は以下のステップ：
（ａ）個別信号をそれぞれの前記インフラストラクチャの項目に設定する。
（ｂ）前記個別信号ユニットに、少なくとも一つの外部事象センサーおよび信号送受信機を提供する。
（ｃ）通信ネットワークを経由して、前記個別信号ユニットを中央管理機能にリンクする。
（ｄ）前記中央管理機能にサーバーおよびデータ保存装置を提供し、前記装置は前記個別信号伝達装置から受信される信号に、事前にプログラム化された応答を実行するよう適合される。
を含む、監視システム。
【請求項３１】
インフラストラクチャ監視システムの装置において、前記装置は少なくとも一つの通信衛星を経由して中央管理機能と通信する、複数の地理的に散在する個別信号伝達装置を含み、前記個別信号伝達装置は前記インフラストラクチャの項目の状況変化の発生で、第一のスタンバイ状態から第二の電源入力状態に変えるよう適合され、前記個別信号伝達装置のそれぞれの装置は前記電源入力状態の間前記中央管理機能に信号を送信し、前記信号はプログラム化された所定の一連の応答を始動させ、前記装置はそれぞれ、前記信号の送信後に前記スタンバイ状態に戻ることを特徴とする監視システム。
【請求項３２】
前記個別信号伝達装置はそれぞれ、固有の信号伝達装置識別コードが備わり、前記固有の識別コードは前記中央管理機能に送信される前記信号から構成される、請求項１に記載の装置。
【請求項３３】
前記個別信号伝達装置はそれぞれ、信号送受信機モジュールが備わる、請求項１または２に記載の装置。
【請求項３４】
前記個別信号伝達装置はそれぞれ、再充電式電源供給が備わる、請求項１から３のいずれか一つに記載の装置。
【請求項３５】
前記再充電式電源供給はソーラー電池によって再充電できる、請求項４に記載の装置。
【請求項３６】
前記個別信号伝達装置は少なくとも一つの外部事象センサーが備わる、請求項１から５のいずれか一つに記載の装置。
【請求項３７】
前記少なくとも一つの外部事象センサーは、前記インフラストラクチャの項目の状況変化に応答するよう適合される、請求項６に記載の装置。
【請求項３８】
前記個別信号伝達装置は、前記状況変化で前記少なくとも一つの外部事象センサーから入力信号を受信する、請求項６または７に記載の装置。
【請求項３９】
前記少なくとも一つの外部事象センサーはそれぞれ、前記固有の識別コードの固有の一連の反復送信に関連し、前記固有の一連の反復送信は、前記中央管理機能に送信される前記信号から構成される、請求項６から８のいずれか一つに記載の装置。
【請求項４０】
前記個別信号伝達装置はそれぞれ、少なくとも一つの遠隔外部事象センサーからの信号を監視するよう適合される外部事象センサーインターフェースが備わる、請求項６から９のいずれか一つに記載の装置。
【請求項４１】
前記個別信号伝達装置はそれぞれ、不正防止監視手段が備わり、前記不正防止監視手段は前記固有の識別コードの前記固有の一連の反復送信の一つに関連する、請求項９から１０のいずれか一つに記載の装置。
【請求項４２】
前記中央管理機能は前記少なくとも一つの衛星と通信する送受信機モジュールを含む、請求項１から１１のいずれか一つに記載の装置。
【請求項４３】
前記送受信機モジュールはサーバーおよびデータ保存装置にリンクされ、前記サーバーおよびデータ保存装置は、いずれか一つの前記個別信号伝達装置から受信される信号を処理するよう適合される、請求項１２に記載の装置。
【請求項４４】
前記サーバーおよびデータ保存装置は複数の事前にプログラム化された出力のいずれかを開始し、前記出力は前記固有の識別コード、および前記信号受信から構成される前記固有の識別コードの前記固有の一連の反復送信によって決まる、請求項１３に記載の装置。
【請求項４５】
前記サーバーおよびデータ保存装置は、前記個別信号伝達装置に送信するためのコード化されたデータを開始するよう適合される、請求項１３または１４に記載の装置。
【請求項４６】
前記個別信号伝達装置に送信される前記コード化されたデータは、前記一つかそれ以上の外部事象センサーから受信される入力への、前記個別信号伝達装置によってプログラム化された応答のための指示を含む、請求項１５に記載の装置。
【請求項４７】
前記個別信号伝達装置は少なくとも一つの出力リレーが備わり、前記少なくとも一つの出力リレーは外部装置を制御するよう適合される、請求項１から１６のいずれか一つに記載の装置。
【請求項４８】
前記サーバーおよびデータ保存装置は、少なくとも一つの指定された受信者に既定の通信を開始するよう適合され、前記通信は前記個別信号伝達装置から受信される信号によって決まる、請求項１３から１７のいずれか一つに記載の装置。
【請求項４９】
前記少なくとも一つの指定された受信者は前記監視システムの登録されたユーザーである、請求項１８に記載の装置。
【請求項５０】
前記少なくとも一つの指定された受信者は前記監視システムへのサービスプロバイダである、請求項１８に記載の装置。
【請求項５１】
前記監視システムの前記登録されたユーザーは、前記個別信号伝達装置を前記中央管理機能にインターネットを通じて登録することが可能である、請求項１９に記載の装置。
【請求項５２】
前記個別信号伝達装置の登録は、前記個別信号ユニットおよび前記中央管理機能による、外部センサー事象への応答に関連するデータの提供が含まれる、請求項２１に記載の装置。
【請求項５３】
地理的に散在するインフラストラクチャの項目の、少なくとも一つの様相の状況を監視する方法において、前記方法は、以下のステップ：
（ａ）インフラストラクチャの前記項目それぞれに、個別信号伝達装置を設定する。
（ｂ）前記個別信号伝達装置に、少なくとも一つの外部事象センサーおよび信号送受信機を提供する。
（ｃ）衛星リンクを経由して前記個別信号伝達装置を中央管理機能にリンクする。
（ｄ）前記中央管理機能にサーバーおよびデータ保存装置を提供し、前記装置は前記個別信号伝達装置から受信される信号に、事前にプログラム化された応答を実行するよう適合される。
を含む、方法。
【請求項５４】
前記個別信号伝達装置はそれぞれ、
（ａ）送受信機モジュール
（ｂ）再充電式電力供給および電力制御モジュール
（ｃ）論理回路
（ｄ）少なくとも一つの外部事象センサー
を含む、請求項２３に記載の方法。
【請求項５５】
前記方法はさらに、
（ａ）前記個別信号伝達装置それぞれに、固有の信号伝達装置識別コードを提供する。
（ｂ）前記識別コードの固有の一連の反復送信を、前記外部事象センサーそれぞれに関連付ける。
（ｃ）前記インフラストラクチャの項目の前記状況変化が発生した場合、前記信号伝達装置の前記固有の一連の反復送信識別コードから構成される信号を前記中央管理機能に送信するよう、前記個別信号伝達装置をプログラム化する。
のステップを含む、請求項２３または２４に記載の方法。
【請求項５６】
前記事前にプログラム化された応答を、前記個別信号ユニットから受信される信号に実行する。
【請求項５７】
本文中に記述され、および添付の図によって参照される、地理的に散在するインフラストラクチャの項目の状況変化のための監視システムの装置。
【請求項５８】
個別信号ユニットにおいて、前記個別信号ユニットはそれぞれ、
（ａ）送受信機モジュール
（ｂ）再充電式電力供給および電力制御モジュール
（ｃ）論理回路
（ｄ）複数の選択式外部事象センサーの少なくとも一つ
を含み、前記個別信号ユニットから中央管理機能への前記信号によって、前記中央管理機能は複数の所定のステップを実行し、前記所定のステップは前記個別信号ユニットの所有者によって構築されることを特徴とする監視システム。
【請求項５９】
個別信号ユニットを含む監視システムにおいて、前記個別信号ユニットは、事象センサーが前記個別信号ユニットを起動するときに中央管理機能と通信し、前記中央管理機能は前記個別信号ユニットからの通信の受信で複数の所定のステップを実行し、前記所定のステップは前記個別信号ユニットの所有者または登録されたユーザーによって構築されることを特徴とする監視システム。
【請求項６０】
前記個別信号ユニットと前記中央管理機能の間の通信は距離によって制限されない、請求項５９に記載のシステム。
【請求項６１】
前記個別信号ユニットは前記中央管理機能に関連していずれの場所に設置されうる、請求項５９または６０に記載のシステム。
【請求項６２】
前記個別信号ユニットは前記中央管理機能から独立して移動できる、請求項５９から６１のいずれか一つに記載のシステム。
【請求項６３】
前記個別信号ユニットと前記中央管理機能の間の前記通信はいずれの通信ネットワークを用いる、請求項６０から６２のいずれか一つに記載のシステム。
【請求項６４】
前記所定のステップは、前記中央管理機能と前記個別信号の前記所有者または登録されたユーザーの間の通信を含む、請求項５９から６３のいずれか一つに記載のシステム。
【請求項６５】
前記中央管理機能と前記所有者または登録されたユーザーの間の通信は、任意の通信ネットワークを用いる、請求項６０から６４のいずれか一つに記載のシステム。
【請求項６６】
前記所定のステップは前記所定のステップの第一層および第二層を含みうる、請求項５９から６５のいずれか一つに記載のシステム。
【請求項６７】
前記所定のステップの第二層の選択される一つは、前記中央管理機能と前記所有者または登録されたユーザーの間の前記通信への応答に従って、前記中央管理機能によって実行されうる、請求項６６に記載のシステム。
【請求項６８】
前記個別信号ユニットはプログラム化が可能である、請求項５９から６７のいずれか一つに記載のシステム。
【請求項６９】
前記個別信号ユニットはグラフィック・ディスプレイを含む、請求項５９から６８のいずれか一つに記載のシステム。
【請求項７０】
前記個別信号ユニットは、いずれの外部感知装置からの信号入力に順応するよう構築が可能である、請求項５９から６９のいずれか一つに記載のシステム。
【請求項７１】
前記個別信号ユニットは、いずれの前記通信ネットワークへの出力信号を許可するよう構築が可能である、請求項５９から７０のいずれか一つに記載のシステム。
【請求項７２】
前記個別信号ユニットは、相手先商標製品の製造会社（ＯＥＭ）モジュールとして製品に統合されるよう適合される、請求項５９から７１のいずれか一つに記載のシステム。
【請求項７３】
前記中央管理機能はデータベースおよびサーバーを含み、前記中央管理機能は前記サーバーでインターネット・ウェブサイトを維持する、請求項５９から７２のいずれか一つに記載のシステム。
【請求項７４】
前記システムは資産監視の手段を提供し、前記資産監視は前記資産に影響を及ぼす事故を前記所有者または登録されたユーザーに警告する、請求項５９から７３のいずれか一つに記載のシステム。
【請求項７５】
前記所定のステップは、前記個別信号ユニットに接続される出力デバイスの起動を含む、請求項５９から７４のいずれか一つに記載のシステム。
【請求項７６】
監視システムから収入を得る方法において、前記監視システムは中央管理機能と通信する遠隔設置される個別信号ユニットを含み、前記方法：
（ａ）前記個別信号ユニットの販売
（ｂ）前記個別信号の賃貸
（ｃ）期間登録費の料金
（ｄ）ネットワークサービス料金
（ｅ）開発、プログラミング、およびデザイン料金
（ｆ）特注または改良アプリケーションのライセンス料金
（ｇ）産業協力コミッションの収集
（ｈ）監視代理店およびサービスプロバイダのライセンス料
を含む監視システム。
【発明の詳細な説明】
【技術分野】
【０００１】
本発明はエラーおよび事故を報告する装置およびシステム、より詳細には、幅広い多種の、および地理的に離れた設置から発する信号の状況の監視および作用に適合するシステムに関する。
【背景技術】
【０００２】
現代社会の効率的機能は、無数のインフラストラクチャの離散項目に頼っている。特にそのような項目が遠隔地または、その場への到達または監視が困難な場所に位置する多くの場合では、機能不良、または不都合な自己が長い間検出されないままになるかもしれず、これは不便、経済的損失、または危険な状態の可能性すら引き起こす。
【０００３】
遠隔地域にあるそのような多数のインフラストラクチャの項目の例として、かんがい水路、門、貯水路などの、定期的な点検は通常実行不可能である。同様の監視に関して実行不可能性または非常に高額な出費を要するそのような項目の例には、建設現場の道具置き場、トラックの道具箱、および建設現場に残る設備やプラントなどがある。
【０００４】
監視の必要性は当然遠隔地域に限られるものではない。設備、建築物および車両とそのようなものの安全性と状況は、あらゆる場所で重要である。しかし、監視システムの据え付けは、多くの複雑な手順があり、ハードウェア設置の複雑な配線、専門家による査察が頻繁に伴う。
【発明の概要】
【発明が解決しようとする課題】
【０００５】
本発明の目的は、上記の不利点に取り組むこと、または少なくとも改善することである。
【０００６】
注記
１．本明細書で使用される“構成する”（およびその文法上の変化形）は、“有する”または“含む”の意味が含まれ、および“のみから成る”の排他的な意味ではない。
２． “所有者”、“ユーザー”、“登録されたユーザー”の語は、本明細書で、個別信号ユニット（ＩＳＵ）からの信号に応答に実行される所定のステップでの、許可された任意の人物に置き換えられて使用される。
【課題を解決するための手段】
【０００７】
従って、本発明の広義の形態の一つでは、インフラストラクチャ監視システムが提供される。前記装置は、中央管理機能に少なくとも一つの通信衛星を経由して通信する、複数の地理的に散在する個別信号ユニットを含み、前記個別信号ユニットは、前記インフラストラクチャの項目の状況変化が発生した場合に、第一スタンバイ状態から第二電源入力状態に変えるよう適合され、前記個別信号ユニットはそれぞれ、前記電源入力状態の間、前記中央管理機能に信号を送信し、前記信号は、プログラム化された所定の一連の応答を始動させ、前記装置はそれぞれ、前記信号の送信後前記スタンバイ状態に戻る。
【０００８】
前記個別信号ユニットはそれぞれ固有の信号ユニット識別コードが備わり、前記固有の識別コードは、前記中央管理機能に送信される前記信号から構成されることが好ましい。
【０００９】
前記個別信号ユニットはそれぞれ信号送受信機モジュールが備わっていることが好ましい。
【００１０】
前記個別信号ユニットはそれぞれ再充電式電源供給が備わっていることが好ましい。
【００１１】
前記再充電式電源供給はソーラー電池によって再充電できることが好ましい。
【００１２】
前記個別信号ユニットは少なくとも一つの外部事象センサーが備わっていることが好ましい。
【００１３】
前記少なくとも一つの外部事象センサーは、前記インフラストラクチャの項目の状況変化に応答するよう適合されることが好ましい。
【００１４】
前記個別信号ユニットは前記状況変化で、前記少なくとも一つの外部事象センサーから入力信号を受信することが好ましい。
【００１５】
前記少なくとも一つの外部事象センサーは、前記固有の識別コードの固有の一連の反復送信に関連し、前記固有の一連の反復送信は、前記中央管理機能に送信される前記信号から構成されることが好ましい。
【００１６】
前記個別信号ユニットはそれぞれ、少なくとも一つの遠隔外部事象センサーからの信号を監視するよう適合される外部事象センサーインターフェースが備わっていることが好ましい。
【００１７】
個別信号ユニットはそれぞれ不正防止監視手段が備わり、前記不正防止監視手段は、前記固有の識別コードの固有の一連の反復送信の一つに関連することが好ましい。
【００１８】
前記中央管理機能は前記少なくとも一つの衛星と通信する送受信機モジュールを含むことが好ましい。
【００１９】
好ましくは、前記送受信機モジュールはサーバーおよびデータ保存装置にリンクされ、前記サーバーおよびデータ保存装置は、前記いずれか一つの個別信号ユニットから受信される信号を処理するよう適合される。
【００２０】
前記サーバーおよびデータ保存装置は任意の、複数の事前にプログラム化された出力を開始するよう適合され、前記出力は、前記固有の識別コード、および受信される前記信号から構成される前記固有の識別コードの前記固有の一連の反復送信によって決まることが好ましい。
【００２１】
好ましくは、前記サーバーおよびデータ保存装置は、前記個別信号ユニットへの送信のためにコード化されたデータを開始するよう適合される。
【００２２】
好ましくは、前記個別信号ユニットに送信される前記コード化されたデータは、前記一つかそれ以上の外部事象センサーから受信される入力への、前記個別信号ユニットによってプログラム化された応答ための指示を含む。
【００２３】
前記個別信号ユニットは少なくとも一つの出力リレーが備わり、前記少なくとも一つの出力リレーは外部装置を制御するよう適合されることが好ましい。
【００２４】
前記サーバーおよびデータ保存装置は少なくとも一つの指名された受信者に既定の通信を開始するよう適合され、前記通信は、前記個別信号ユニットから受信される信号によって決まることが好ましい。
【００２５】
前記少なくとも一つの指名された受信者は、前記監視システムの登録されたユーザーであるのが好ましい。
【００２６】
前記少なくとも一つの指名された受信者は、前記監視システムへのサービスプロバイダであることが望ましい。
【００２７】
前記監視システムの前記登録されたユーザーは、インターネットを通して前記中央管理機能に前記個別信号ユニットを登録することが可能であることが望ましい。
【００２８】
前記個別信号ユニットの登録は、前記個別信号ユニットおよび前記中央管理機能による外部センサー事象への応答に関するデータの提供を含むことが望ましい。
【００２９】
さらに本発明の広義の形態では、地理的に散在するインフラストラクチャの項目の少なくとも一つの状況を監視するための方法が提供され、前記方法は以下のステップを含む。
（ａ）個別信号ユニットをそれぞれの前記インフラストラクチャの項目に設置する。
（ｂ）前記個別信号ユニットに、少なくとも一つの外部事象センサーおよび信号送受信機を提供する。
（ｃ）衛星リンクを経由して、前記個別信号ユニットを中央管理機能にリンクする。
（ｄ）前記中央管理機能にサーバーおよびデータ保存装置を提供し、前記装置は前記個別信号伝達装置から受信される信号に、事前にプログラム化された応答を実行する。
【００３０】
前記個別信号ユニットはそれぞれ、
（ａ）送受信機モジュール
（ｂ）再充電式電力供給および電力制御モジュール
（ｃ）論理回路
（ｄ）少なくとも一つの外部事象センサー
を含むことが好ましい。
【００３１】
好ましくは、前記方法はさらに、
（ａ）前記個別信号ユニットそれぞれに、固有の個別信号ユニット識別コードを提供する。
（ｂ）前記識別コードの固有の一連の反復送信を、前記外部事象センサーそれぞれに関連付ける。
（ｃ）前記インフラストラクチャの項目の前記状況変化が発生した場合、前記個別信号ユニットの固有の一連の反復送信識別コードから構成される信号を前記中央管理機能に送信するよう、前記個別信号ユニットをプログラム化する。
（ｄ）前記事前にプログラム化された応答を、前記個別信号伝達装置から受信される信号に実行する。
のステップを含むことが好ましい。
【００３２】
従って、本発明の第一の広義の形態では、個別信号ユニットの少なくとも一つのセンサーによって感知された事故に応答するための装置および監視システムが提供される。第一に前記応答は、前記個別信号ユニットによって中央管理機能へ、通信ネットワークを通して、その個別信号ユニットのための少なくとも一つの固有の識別コードの送信から構成される。第二に前記応答は、前記中央管理機能から、前記個別信号ユニットの登録された所有者によって指名された一つかそれ以上の受信者へのデータの送信から構成される。および、前記個別信号ユニットの登録、および前記感知と前記応答の構築は、ウェブ基盤のインターフェースを経由する。
【００３３】
好ましくは、前記第一の前記応答は、前記個別信号ユニットへのデジタルまたはアナログのデータ入力を含む。
【００３４】
好ましくは、前記デジタルまたはアナログのデータはリアルタイムで前記中央管理機能に送信される。
【００３５】
好ましくは、前記デジタルまたはアナログデータは送信の前に、前記個別信号ユニットのデータ保存装置に保存される。
【００３６】
好ましくは、前記少なくとも一つのセンサーは前記個別信号ユニットに内蔵される。
【００３７】
好ましくは、前記少なくとも一つのセンサーは前記個別信号ユニットの入力ポートに接続される外部センサーである。
【００３８】
好ましくは、前記個別信号ユニットはさらに、再充電式電源供給を含む。
【００３９】
好ましくは、前記再充電式電源供給はソーラー電池によって再充電できる。
【００４０】
好ましくは、前記ウェブ基盤インターフェースは、少なくとも一つのウェブページを含み、前記ウェブページは少なくとも一つのデータ入力フィールドが備わる。
【００４１】
好ましくは、前記個別信号ユニットはそれぞれ、固有の個別信号ユニット識別コードが備わり、前記固有の識別コードは、前記中央管理機能へ送信される前記信号から構成される。
【００４２】
好ましくは、前記少なくとも一つの外部事象センサーは前記固有の識別コードの固有の一連の反復送信に関連し、前記固有の一連の反復送信は前記中央管理機能に送信される信号から構成される。
【００４３】
好ましくは、前記個別信号ユニットのそれぞれは、少なくとも一つの外部事象センサーが備わる。
【００４４】
前記少なくとも一つの外部事象センサーが前記センサーの刺激での変化に反応するよう適合されることが好ましい。
【００４５】
前記少なくとも一つの外部事象センサーが所定の刺激に反応するよう適合されることが好ましい。
【００４６】
好ましくは、前記個別信号ユニットは前記刺激での変化で、少なくとも一つの外部事象センサーから入力信号を受信する。
【００４７】
好ましくは、前記中央管理機能は前記通信ネットワークと通信する送受信モジュールを含む。
【００４８】
好ましくは、前記送受信モジュールはサーバーおよびデータ保存装置にリンクされ、前記サーバーおよびデータ保存装置は、前記個別信号ユニットのいずれか一つから受信される信号を処理するよう適合される。
【００４９】
好ましくは、前記サーバーおよびデータ保存装置は、少なくとも一つの事前にプログラム化された出力を開始するよう適合される。前記出力または出力（複数）は、前記固有の識別コードによって決まる。
【００５０】
好ましくは、前記個別信号ユニットは少なくとも一つの入力が備わり、前記少なくとも一つの入力は一つの前記センサーと通信するよう適合される。
【００５１】
好ましくは、前記個別信号ユニットは少なくとも一つの出力が備わり、前記少なくとも一つの出力は外部装置を制御するために使用される。
【００５２】
好ましくは、前記サーバーおよびデータ保存装置は少なくとも一つの指名された受信者に既定の通信を開始するために使用され、前記通信は、前記個別信号ユニットから受信される信号によって決まる。
【００５３】
好ましくは、前記少なくとも一つの指定された受信者は、前記監視システムに登録される前記個別信号ユニットの所有者である。
【００５４】
好ましくは、前記少なくとも一つの指定された受信者は、前記個別信号ユニットの前記所有者によって指名されたサービスプロバイダである。
【００５５】
さらに本発明の広義の形態では、個別信号ユニットが提供され、前記個別信号ユニットはそれぞれ、
（ａ）送受信機モジュール
（ｂ）再充電式電源供給および電源制御モジュール
（ｃ）論理回路
（ｄ）少なくとも一つの外部事象センサー
を含み、および、前記個別信号ユニットから前記中央管理機能への信号によって、前記中央管理機能は複数の所定のステップを実行し、前記所定のステップは、前記個別信号ユニットの所有者によって構築される。
【００５６】
また本発明の広義の形態では、監視システムを提供する。前記装置は個別信号ユニット、および前記個別信号ユニットに接続される少なくとも一つの所有者選択式センサーから構成され、前記個別信号ユニットおよび前記少なくとも一つのセンサーは、前記ユーザーによって中央管理機能に登録され、前記個別信号ユニットは、前記少なくとも一つのセンサーが事故を検出するとき、固有の装置識別コードを前記中央管理機能に送信するようプログラム化され、前記中央管理機能は、前記所有者による前記ユニットの登録で設立されたプロトコルに従って送信される前記固有の装置識別コードに応答する。
【００５７】
またさらに本発明の広義の形態では、インターネットおよび通信システムによって可能な監視システムを提供する。前記システムは、複数の個別信号ユニットを含み、それぞれの前記装置は少なくとも一つの所有者選択式センサーに接続され、それぞれの前記個別信号ユニットおよび前記少なくとも一つのセンサーは、インターネットを通して前記所有者によって中央管理機能に登録され、前記中央管理機能は、前記所有者による登録で設立されたプロトコルに従って前記センサーによって感知される事故に応答する。
【００５８】
またさらに本発明の広義の形態では、関心項目の状況を監視する方法が提供され、前記方法は、以下のステップを含む。
（ａ）個別信号ユニット、および前記装置への接続するための少なくとも一つのユーザー選択式センサーの所有者による購入。
（ｂ）前記個別信号ユニットおよび前記少なくとも一つのセンサーを、中央管理機能に登録。
（ｃ）前記個別信号ユニットによって送信される信号の前記機能による受信で、前記中央管理機能によって実行可能な応答を構築。
【００５９】
好ましくは、前記信号は前記個別信号ユニットの固有の識別コードから構成される。
【００６０】
好ましくは、前記個別信号ユニットの前記登録は、以下のステップを含む。
（ｄ）前記中央管理機能によって維持されるウェブサイトにアクセスする
（ｅ）ユーザーネームおよびパスワードを前記中央管理機能で開設する。
（ｆ）前記ウェブサイトに前記個別信号ユニットの登録コードを入力する。
（ｇ）ユーザーが選択した前記個別信号ユニットのための識別ネームを入力する。
（ｈ）前記個別信号ユニットに接続される一つかそれ以上のセンサーの詳細を入力する。
（ｉ）前記中央管理機能によって実行可能な前記応答の詳細を入力する。
【００６１】
本発明の他の広義の形態では、少なくとも一つのインフラストラクチャの地理的に離れた項目の態様の状況を監視する方法が提供される。前記方法は以下のステップを含む。
（ａ）個別信号ユニットをそれぞれの前記インフラストラクチャの項目に設置する。
（ｂ）前記個別信号ユニットに、少なくとも一つの外部事象センサーおよび信号送受信機を提供する。
（ｃ）通信ネットワークを経由して、前記個別信号ユニットを中央管理機能にリンクする。
（ｄ）前記中央管理機能にサーバーおよびデータ保存装置を提供し、前記装置は前記個別信号伝達装置から受信される信号に、事前にプログラム化された応答を実行する。
【００６２】
本発明のまた他の広義の形態では、インフラストラクチャ監視システムの装置が提供される。前記装置は、少なくとも一つの通信衛星を経由して中央管理機能と通信する複数の地理的に散在する個別信号伝達装置を含み、前記個別信号伝達装置は、前記インフラストラクチャの項目の状況変化が発生した場合、第一のスタンバイ状態から第二の電源入力状態に変えるよう適合され、前記個別信号伝達装置の装置はそれぞれ、前記電源入力状態の間、中央管理機能に信号を送信し、前記信号はプログラム化された所定の一連の応答を始動させ、前記装置はそれぞれ、前記信号の送信後前記スタンバイ状態に戻る。
【００６３】
好ましくは、個別信号伝達装置はそれぞれ、固有の信号伝達装置識別コードが備わり、前記固有の信号伝達装置識別コードは、前記中央管理機能に送信される信号から構成される。
【００６４】
好ましくは、それぞれの前記個別信号伝達装置は信号送受信機モジュールが備わる。
【００６５】
好ましくは、それぞれの前記個別信号伝達装置は再充電式電力供給が備わる。
【００６６】
好ましくは、前記再充電式電力供給は、ソーラー電池によって再充電できる。
【００６７】
好ましくは、前記個別信号伝達装置はそれぞれ、少なくとも一つの外部事象センサーが備わる。
【００６８】
好ましくは、前記少なくとも一つの外部事象センサーは、前記インフラストラクチャの項目の状況変化に応答するよう適合される。
【００６９】
好ましくは、前記個別信号伝達装置は、前記状況変化で前記少なくとも一つの外部事象センサーから入力信号を受信する。
【００７０】
好ましくは、前記少なくとも一つの外部事象センサーはそれぞれ、前記固有の識別コードの固有の一連の反復送信に関連し、前記固有の一連の反復送信は、前記中央管理機能に送信される前記信号から構成される。
【００７１】
好ましくは、それぞれの前記個別信号伝達装置は、少なくとも一つの遠隔外部事象センサーからの信号を監視するよう適合される、外部事象センサーインターフェースが備わる。
【００７２】
好ましくは、それぞれの前記個別信号伝達装置は不正防止監視手段が備わり、前記不正防止監視手段は、前記固有の識別コードの固有の一連の反復送信に関連する。
【００７３】
好ましくは、前記中央管理機能は、前記少なくとも一つの衛星と通信する送受信機モジュールを含む。
【００７４】
好ましくは、前記送受信機モジュールはサーバーおよびデータ保存装置にリンクされ、前記サーバーおよびデータ保存装置は、前記個別信号伝達装置のいずれか一つから受信される信号を処理するよう適合される。
【００７５】
好ましくは、前記サーバーおよびデータ保存装置は任意の複数の既定の出力を開始するよう適合され、前記出力は、前記固有の識別コード、および受信される前記信号から構成される前記固有の識別コードの前記固有の一連の反復送信によって決まる。
【００７６】
好ましくは、前記サーバーおよびデータ保存装置は、前記個別信号伝達装置への送信のためのコード化されたデータを開始するよう適合される。
【００７７】
好ましくは、前記個別信号伝達装置に送信される前記コード化されたデータは、前記一つかそれ以上の外部事象センサーから受信される入力への、前記個別信号伝達装置によってプログラム化された応答のための指示を含む。
【００７８】
好ましくは、前記個別信号伝達装置は少なくとも一つの出力リレーが備わり、前記少なくとも一つの出力リレーは外部装置を制御するよう適合される。
【００７９】
好ましくは、前記サーバーおよびデータ保存装置は、少なくとも一つの指名された受信者に既定の通信を開始するよう適合され、前記通信は前記個別信号伝達装置から受信される信号によって決まる。
【００８０】
好ましくは、前記少なくとも一つの指名された受信者は前記監視システムの登録されたユーザーである。
【００８１】
好ましくは、前記少なくとも一つの指名された受信者は前記監視システムへのサービスプロバイダである。
【００８２】
好ましくは、前記監視システムの前記登録されたユーザーは、前記個別信号伝達装置を前記中央管理機能に、インターネットを通して登録することが可能である。
【００８３】
好ましくは、前記個別信号伝達装置の登録は、前記個別信号伝達装置および前記中央管理機能による外部センサー事象への応答に関するデータの提供を含む。
【００８４】
本発明の他の広義の形態では、少なくとも一つのインフラストラクチャの地理的に離れた項目の様相の状況を監視する方法が提供される。前記方法は以下のステップを含む。
（ｅ）個別信号伝達装置をそれぞれの前記インフラストラクチャの項目に設置する。
（ｆ）前記個別信号伝達装置に少なくとも一つの外部事象センサーおよび信号送受信機を提供する。
（ｇ）衛星リンクを経由して、前記個別信号伝達装置を中央管理機能にリンクする。
（ｈ）前記中央管理機能にサーバーおよびデータ保存装置を提供し、前記装置は前記個別信号伝達装置から受信される信号に、事前にプログラム化された応答を実行するよう適合される。
【００８５】
好ましくは、前記個別信号伝達装置はそれぞれ、
（ｅ）送受信機モジュール
（ｆ）再充電式電源供給および電源制御モジュール
（ｇ）論理回路
（ｈ）少なくとも一つの外部事象センサー
を含む。
【００８６】
好ましくは、前記方法はさらに次のステップを含む。
（ａ）前記個別信号伝達装置それぞれに、固有の信号伝達装置識別コードを提供する。
（ｂ）前記識別コードの固有の一連の反復送信を、前記外部事象センサーそれぞれに関連付ける。
（ｃ）前記インフラストラクチャの項目の状況変化が発生した場合、前記信号伝達装置の前記固有の一連の反復送信識別コードから構成される信号を前記中央管理機能に送信するよう、前記個別信号伝達装置をプログラム化する。
（ｄ）前記事前にプログラム化された応答を、前記個別信号伝達装置から受信される信号に実行する。
【００８７】
本発明のまた他の広義の形態では、個別信号ユニットが提供され、前記個別信号ユニットはそれぞれ、
（ａ）送受信機モジュール
（ｂ）再充電式電源供給および電源制御モジュール
（ｃ）論理回路
（ｄ）少なくとも一つの外部事象センサー
を含み、および、前記個別信号ユニットから中央管理機能への信号によって、前記中央管理機能は複数の所定のステップを実行し、前記所定のステップは前記個別信号ユニットの所有者によって構築される。
【００８８】
本発明のまた他の広義の形態では、個別信号ユニットを含む監視システムが提供される。前記個別信号ユニットは、事象センサーが前記個別信号ユニットを起動するとき中央管理機能と通信し、前記中央管理機能は、前記個別信号ユニットからの通信の受信に複数の所定のステップを実行し、前記所定のステップは、前記個別信号ユニットの所有者または登録されたユーザーによって構築される。
【００８９】
前記個別信号ユニットと前記中央管理機能の間の通信は、距離によって制限されないことが好ましい。
【００９０】
好ましくは、前記個別信号ユニットは、前記中央管理機能に関して任意の場所に設置されうる。
【００９１】
前記個別信号は前記中央管理機能から独立して移動できることが好ましい。
【００９２】
前記個別信号ユニットと前記中央管理機能の間の前記通信は、任意の通信ネットワークを用いることが好ましい。
【００９３】
好ましくは、前記所定のステップは、前記中央管理機能と前記個別信号ユニットの前記所有者または登録されたユーザーの間の通信が含まれる。
【００９４】
好ましくは、前記中央管理機能と前記所有者または登録されたユーザーの間の前記通信は、任意の通信ネットワークを用いる。
【００９５】
好ましくは、前記所定のステップは前記所定のステップの第一層および第二層を含みうる。
【００９６】
好ましくは、所定のステップの前記第二層の選択された一つは、前記中央管理機能と前記所有者または登録されたユーザーの間の前記通信への応答に従って、前記中央管理機能によって実行されうる。
【００９７】
好ましくは、前記個別信号ユニットはプログラム化が可能である。
【００９８】
好ましくは、前記個別信号ユニットはグラフィック・ディスプレイを含む。
【００９９】
好ましくは、前記個別信号ユニットは任意の外部感知装置からの信号入力に順応するよう構築可能である。
【０１００】
好ましくは、前記個別信号ユニットは任意の前記通信ネットワークに出力信号を許可するよう構築可能である。
【０１０１】
好ましくは、前記個別信号ユニットは、相手先商標製品の製造会社（ＯＥＭ）モジュールとして製品と統合されるよう適合される。
【０１０２】
好ましくは、前記中央管理機能はデータベースおよびサーバーを含み、前記中央管理機能は前記サーバーでインターネット・ウェブサイトを維持する。
【０１０３】
好ましくは、前記システムは資産監視の手段を提供し、前記資産監視は前記資産に影響を及ぼす事故を前記所有者または登録されたユーザーに警告する。
【０１０４】
好ましくは、前記所定のステップは前記個別信号ユニットに接続される出力デバイスの起動を含む。
【０１０５】
本発明の他の広義の形態では、監視システムから収入を得る方法を提供する。前記監視システムは、中央管理機能と通信する遠隔的に設置された個別信号ユニットを含み、前記方法は、
（ａ）前記個別信号ユニットの販売
（ｂ）前記個別信号の賃貸
（ｃ）期間登録費の料金
（ｄ）ネットワークサービス料金
（ｅ）開発、プログラミング、およびデザイン料金
（ｆ）特注または改良アプリケーションのライセンス料金
（ｇ）産業協力コミッションの収集
（ｈ）監視代理店およびサービスプロバイダのライセンス料
を含む。
【図面の簡単な説明】
【０１０６】
本発明の実施例はここで、付随の図面の参照とともに説明される。
【０１０７】
【図１】本発明による、装置と監視システムのユーザーの間の通信の、好適な配置の図表示である。
【図２】図１の配置の個別信号ユニット（ＩＳＵ）の、好適な実施例の概略図である。
【図３】本発明による個別信号ユニットのための、好適なエンクロージャーの斜視図である。
【図４】個別信号ユニットの一実施例の原理内部構成材を示す、図３のエンクロージャーの分解透視図である。
【図５】個別信号ユニットの実施例の回路図である。
【図６】個別信号ユニットを中央管理機能に登録するための可能なウェブサイトのページである。
【図７】個別信号ユニットを中央管理機能に登録するための可能なウェブサイトのページである。
【図８】個別信号ユニットを中央管理機能に登録するための可能なウェブサイトのページである。
【図９】個別信号ユニットを中央管理機能に登録するための可能なウェブサイトのページである。
【図１０】個別信号ユニットを中央管理機能に登録するための可能なウェブサイトのページである。
【図１１】個別信号ユニットを中央管理機能に登録するための可能なウェブサイトのページである。
【図１２】個別信号ユニットを中央管理機能に登録するための可能なウェブサイトのページである。
【図１３】個別信号ユニットの構築のための、図６−図１２のウェブサイトの追加的ページである。
【図１４】個別信号ユニットの構築のための、図６−図１２のウェブサイトの追加的ページである。
【図１５】個別信号ユニットの構築のための、図６−図１２のウェブサイトの追加的ページである。
【図１６】個別信号ユニットの構築のための、図６−図１２のウェブサイトの追加的ページである。
【図１７】所有者または権限者が個別信号ユニットによって収集されたデータにアクセスできるよう適合される、ウェブサイトの追加的ページである。
【図１８】所有者または権限者が個別信号ユニットによって収集されたデータにアクセスできるよう適合される、ウェブサイトの追加的ページである。
【図１９】所有者または権限者が個別信号ユニットによって収集されたデータにアクセスできるよう適合される、ウェブサイトの追加的ページである。
【図２０】個別信号ユニット（ＩＳＵ）と様々な通信システム、入力デバイス、中央管理機能と機能の出力の、ウェブサイトとの相互接続の表示例の図である。
【図２１】車両に搭載されたコンピュータのＩＳＵのインターフェースを含む、車両に設置されたＩＳＵの様々なアプリケーションおよび機能を示す。
【図２２】車両に搭載されたコンピュータのＩＳＵのインターフェースを含む、車両に設置されたＩＳＵの様々なアプリケーションおよび機能を示す。
【図２３】車両に搭載されたコンピュータのＩＳＵのインターフェースを含む、車両に設置されたＩＳＵの様々なアプリケーションおよび機能を示す。
【図２４】車両の性能監視および点検手配の様相を登録するための、可能なウェブサイトの２ページである。
【図２５】車両の性能監視および点検手配の様相を登録するための、可能なウェブサイトの２ページである。
【図２６】車両点検の手配に、車両搭載ＩＳＵを用いて促進される相互作用を示す。
【図２７】ＩＳＵが備わる車両にサービスを提供する意志のある車両サービスプロバイダの登録のための、中央管理機能によって提供されるウェブページを示す。
【図２８】中央管理機能に登録する車両サービスプロバイダから出されうる、収益源の一例を示す。
【発明を実施するための形態】
【実施例１】
【０１０８】
図１は、本発明の好適な実施例による、監視システム１０に含まれる装置および接続の図表示である。中央管理機能１２は、送受信機１８にリンクされるデータ処理サーバー１４およびデータ保存１６を含む。中央管理機能１２は携帯電話ネットワークなどの通信ネットワークと、または例として図１に示されるように、送受信機１８を用いて少なくとも一つの通信衛星２０と、無線通信する。
【０１０９】
通信衛星２０の例では、例としてグローバル・システム・フォー・モバイル・コミュニケーション（ＧＳＭ）、汎用パケット無線システム（ＧＰＲＳ）、または同様の通信ネットワーク２１などを経由して複数の個別信号ユニット２２と次々と遠隔通信連絡をする。個別信号ユニット２２は、システムの登録されたユーザーに属し、および通信衛星（または衛星）２０または他の通信ネットワークの、信号足跡の範囲内の任意の場所に設置されうる。
【０１１０】
個別信号ユニット２２にはそれぞれ固有の識別コードが割り当てられ、および設置される環境によって複数の物理的構築が取られうる。図３は、様々な入力および出力装置のあるエンクロージャー５０から構成される、個別信号ユニットの好適な一実施例を示す。いくつかの好適な形態では少なくとも、内部電力供給、および装置を様々な構造体および表面に取り付けるための取り付けおよび他の接着手段のある、丈夫な、防湿および不正防止の外皮から構成される。他の好適な形態では、装置は製造時に、例として街灯のランタン構造にあるような設備（装置）の要素が内蔵されうる。
【０１１１】
個別信号ユニット２２の好適な一形態の分解組立図を示す図４を参照して、エンクロージャー５０は基部５２およびカバー部分５４から構成される。エンクロージャー５０に格納されるものは、例として通信ネットワークとの通信の標準規格の汎用パケット無線システム（ＧＰＲＳ）を使用する通信モジュール５６、およびアンテナジャック５８である。またエンクロージャー５０内に含まれるものは、再充電式バッテリーモジュール６０、および電源入力／出力６２を含む入力および出力接続、センサー入力６４、装置リレー接続６６、およびユニバーサル・シリアル・バス（ＵＳＢポート）６８である。個別信号ユニット２２はまた、状況を表示する発光ダイオード（ＬＥＤ）７０が提供されうる。エンクロージャー５０は、例としてカバー５４の空間７２など、ユニットを中央管理機能へ登録するのに使用されるコードを表示するための空間が備わる。
【０１１２】
個別信号ユニット２２はそれぞれ、例として図１に示されるような、門２２、かんがい管理水門２４、または用具置場２６など、インフラストラクチャの項目のいくつかの様相の状況を監視するよう適合される。
【０１１３】
図２の概略図に示されるように、個別信号ユニット２２は少なくとも一つの送受信機モジュール４０、再充電式電力供給および電力制御モジュール４２、少なくとも一つの外部事象センサー４４、および論理回路４６を含む。いくつかの適用のため、個別信号ユニットは、個別信号ユニットの位置および機能が正しいこと、またはいくつかの既定のタスクが遂行されていることを確認するための、職員が許可カードを機械に通して調べることのできる、磁器カードリーダーが備わるかまたはそれに接続されうる。
【０１１４】
好ましくは電力供給４２はソーラーパネル４８を用いて再充電できるが、主電源から再充電できるバッテリー、または交換バッテリーパックから構成されてもよい。街灯の例など、既に電力供給が提供されているインフラストラクチャのいくつかの項目に個別信号ユニットが内蔵される場所では、ユニットへの電源は外部供給から提供されうる。
【０１１５】
個別信号ユニット２２は、装置自体の中に内蔵される少なくとも一つの外部事象センサー４４が備わりうるが、個別信号ユニット２２は、インターフェースと接続される複数の外部事象センサーからの信号にユニットを順応させることができるセンサーインターフェースが備わることが、より好ましい。したがって例として、個別信号ユニット２２は建物のドアおよび窓またはサービス車両に設置される装置の様々な項目など、遠隔的に位置する設備の複数の様相を監視しうる。
【０１１６】
図５を参照して、ＩＳＵは以下の構成材を含みうる。
【０１１７】
ＧＳＭエンジン７４
これは装置の中核である。ＧＳＭネットワークを通してモジュールが接続および通信できる、ＧＳＭ送受信機を含む。送受信機はまた、ＩＰソケットを使用する中央管理機能のサーバーに接続するためＧＳＭネットワークのＧＰＲＳ機能が使用できるようにする。ＧＳＭエンジンはまた、アプリケーションスクリプト（ソフトウェア）を実行する基本のパイトン言語スクリプト、およびバッテリー充電機７５を充電できるＬｉｌｏｎ電池パック（図５の回路図のＪ５を経由して接続される）を含む。ＧＳＭエンジン７４にアプリケーションスクリプト（ソフトウェア）がロードされることにより、モジュールは外部センサーおよびＩＳＵ装置に接続される装置を監視し、およびこれら外部センサーまたは装置の状況変化があれば、ＧＰＲＳネットワークを通して中央管理機能サーバーにメッセージを生成することが可能になる。ＧＳＭエンジンのための典型的な操作は、既知のＩＰソケットを既知のＩＰアドレスでサーバーに接続する。この接続を経由してサーバーに送られるメッセージは、ＩＳＵ装置の識別（通常ＳＩＭカードに関連する電話番号）および入力状況変化の詳細を含む。ＧＳＭエンジンは、ＧＳＭエンジンの電源をオンおよびオフにできるプッシュボタンスイッチ（図５の回路図のＳ１）を有する。
【０１１８】
・ネットワーク状況表示（回路図のＤ１）
ＩＳＵ装置の状況を表示させるためにＬＥＤ（発光ダイオード）が提供される。ＬＥＤがずっとオフになっているときは、装置は電源が切られている。ＬＥＤが早く点滅しているとき（およそ１秒間隔）は、ＧＳＭエンジンはＧＳＭネットワークの検索およびネットワークに登録を試みている。ＬＥＤがゆっくりと点滅しているとき（およそ３秒間隔）は、ＧＳＭエンジンはＧＳＭネットワークに登録が完了しており、およびそれによって、入力の一つの状態を変えるべきサーバーとの接続されることができる状態である。ＬＥＤがずっとオンになっているときは、装置によってアクティブコールが行われている。
【０１１９】
・バッテリー状況表示（回路図のＤ６）
バッテリー充電状況の可視表示はＬＥＤ（発光ダイオード）を使用して提供される。
【０１２０】
・ＵＳＢコネクタ（回路図のＪ３）
ＩＳＵ装置は、モジュールをパーソナルコンピュータに接続させることが可能なＵＳＢコネクタを有する。この接続によって、アプリケーションスクリプト（ソフトウェア）はＧＳＭエンジンでアップデートされることができる。また電源は、Ｌｉｌｏｎ電池を再充電するためパーソナルコンピュータから引き出される。ＵＳＢインターフェース装置（回路図のＵ６）の電源はＵＳＢコネクタから取られる。これは充電の間の操作時間を引き延ばすため、Ｌｉｌｏｎ電池から引き出される電流を最小化させる。インターフェース・コンポーネント（Ｕ４およびＵ５）は、ＵＳＢポートが切断される（ＵＳＢデバイスの電源が切られる）とき、またはＧＳＭエンジンの電源がオフになったとき、ＵＳＢデバイスおよびＧＳＭエンジンの接続を切断する。プロテクション装置（回路図のＵ７）は、ＵＳＢ装置をＵＳＢコネクタのピン上の静電放電から守るためＵＳＢポートに含まれている。
【０１２１】
・外部センサー入力（回路図でＩＮ１〜ＩＮ４信号）
プロトタイプＩＳＵ装置は４つの外部センサー入力を実行する。これらの接続は、専用の入力コネクタ（回路図のＪ２）および特別なアタッチメント・コネクタ（回路図のＪ４）で有効である。これらの入力は、リレーコンタクトクロージャーを使用して、これらの入力信号を０ボルトリターン信号に外部センサーが単純に接続することができるよう、構成されている。これは広範のセンサーからの典型的な出力である。インターフェース・コンポーネント（回路図のＵ３）は、ＧＳＭエンジンの電源がオフになったとき、ＧＳＭエンジンからの入力信号の切断を提供する。また、コネクタのピン上の静電放電からインターフェース・コンポーネントを守るため、いくつかのプロテクション・デバイス（回路図のＤ２〜Ｄ５）がある。
【０１２２】
・制御出力（回路図のＯＵＴ１およびＯＵＴ２信号）
プロトタイプＩＳＵ装置は２つの制御出力を実行する。これらの出力によって、外部装置はＩＳＵ装置によって切り替えられることが可能になる。これらの出力は、トランジスタＱ１およびＱ２を使用して実行される。外部装置へは、専用の出力コネクタ（回路図のＪ１）または特別なアタッチメント・コネクタ（回路図のＪ４）のどちらかによって接続されることが可能である。
【０１２３】
・特別アタッチメント・コネクタ（回路図のＪ４）
特別アタッチメント・コネクタは、ＩＳＵ装置が専用センサーにプラグインされることができるよう提供されている。これらのセンサーは、ＩＳＵ装置と二つの装置の間で必要とされるすべての接続が、単独のアタッチメント・コネクタを通してなさのに適合するよう設計される。このコネクタは、独自の電源供給がなくおよび操作にＩＳＵ装置のバッテリーからの電流を必要とするアタッチメントのみならず、電源内蔵式でおよびＩＳＵのバッテリーを再充電する電流を提供する能力があるアタッチメントも、サポートする。
【０１２４】
監視システムの装置は、ともに購入することが可能なまたは個別信号ユニット２２に追加することの可能な、複数の標準センサー装置を含みうる。センサー装置はそれぞれ、所定の刺激、および例として、電力状態、煙探知、行動探知、ドアまたは窓の開口、ボタン押し、液体レベル、不正防止、ＧＰＳシステムおよびビデオカメラを経由する設置などを含むセンサーに応答するよう適合される。これらの標準センサー装置は、入力接続６４または図４で示されるＵＳＢポート、または装置に提供される他の標準インターフェースポートの一つを経由して、個別信号ユニット２２に単純にプラグインするものとして提供される。
【０１２５】
個別信号ユニット２２はさらに、電源供給不具合などの、内部のエラー監視システムが提供されうる。好ましくは、個別信号ユニット２２はまた、例として許可されない人物による不正や動物などによる妨害を、中央管理機能に警告する干渉センサーが備わりうる。
【０１２６】
少なくとも一つの好適な実施例での個別信号ユニット２２は、監視される事象を感知する事前にプログラム化された応答に従って、一つかそれ以上の外部装置を起動する出力リレーが備わる。起動の例は、オーディオかつ／またビジュアル・アラーム、セキュリティライトの開閉、防火扉の閉鎖などを含みうる。
【０１２７】
電源供給および制御モジュール４２は、外部事象センサーから信号を受信するまで、個別信号ユニット２２をパッシブ、スタンバイ状態に維持するよう適合される。そのような信号は、固有の暗号化された識別コードを中央管理機能に送信することができるよう、装置の電源入力を開始する。この信号の送信後、個別信号ユニットは電源切断され、およびパッシブ・スタンバイ状態に戻る。
【０１２８】
個別信号ユニット２０はまた、中央管理機能１２からのコマンドで電源入力状態になりうる。この電源入力は例として、新規のまたは追加の外部事象センサーの設置、装置の移転、または現存の手順の改正後などに、新規応答手順をインストールするため個別信号ユニット２２を事前にプログラム化する目的のためとされうる。
【０１２９】
個別信号ユニット２２は、データ入力およびディスプレイ装置が個別信号ユニットに提供されると、ユニットのプログラム化または事前のプログラム化は装置自体で実行されうる。そのような地域データ入力の終わりに、必要に応じて個別信号ユニットから受信される任意の信号への応答をアップデートするため、新規または改正データは中央管理機能に送信される。
【０１３０】
再び図１を参照に、電源入力状態中、装置が接続される任意の地域の起動のための事前にプログラム化された任意の後続の手順同様、個別信号ユニット２２は中央管理機能１２に事象を報告するよう、ネットワーク２１および衛星２０を経由して信号を送信する。
【０１３１】
本発明の第一の最も単純な好適な形態では、個別信号ユニット２２によって送信される信号は、単にその固有の暗号化された識別コードからなる。このコードとともにデータは送信されない。 中央管理機能によってこのコードが受信されたという情報は、機能の中央処理コンピュータに保存される。個別信号ユニットの登録された所有者の管理によって、および管理下で供給されるこの情報は、信号への応答にどのような対策がとられるかという指示を含みうる。
【０１３２】
本発明のこの好適な形態では、個別信号ユニット２２は単一の暗号化された識別コードを送信のみが可能であるが、様々な方法で様々な事象を表示しうる。外部事象センサーはそれぞれ、前記固有の識別コードの固有の一連の反復送信に関連付けられる。例として、外部センサー装置が作動されると、コードはその特定のセンサーに短い間隔で既定の回数、送信されうる。低バッテリー状態などの、装置自体にいかなるエラー状況が発見されたとしても、コードは個々に送信されうる。この単独の暗号化されたコードの送信方法はその後、装置の状況および中央管理機能によって取られるべき対策の決定要因になる。
【０１３３】
その事前にプログラム化された指示に従って、下記に記述されるように、個別信号ユニット２２は、中央管理機能１２によって警告を受けた点検職員による装置の場所での救済として、既定の期間の間隔で信号を送信し続けうる。
【０１３４】
再び図１を参照して、受信された信号は中央管理機能によって、個別信号ユニット２２の登録されたユーザーと中央管理機能の間で交渉される事前設立されたプロトコルに従って、任意の複数の指名された受信者３０に報告しながら作動される。監視された事象の詳細は、図１に示されるようにインターネット２９を経由してＥメールの形で、ファクシミリ送信によって、または任意の個人通信デバイスへの分散型ネットワーク２１での配布によって、通知されることが可能である。
【０１３５】
通常、一つの指名された受信者３０は、警告信号が受信された個別信号ユニットの登録されたユーザーまたは所有者になる。しかし、指名された受信者はまた、事象の発生および種類、個別信号ユニットの設置場所および任意の他の所定の詳細を自動的に通知される、サービスプロバイダである。サービスプロバイダは、警察署、消防署および救急サービス、または施設点検職員などを例として含みうる。個別信号ユニットの登録で、ユニットの所有者は、所有者から許可された中央管理機能による受信にのみ接触される、第三者を選出しうる。
【０１３６】
申請ユーザーまたは所有者は、個別信号ユニットのすべての関連詳細、その外部事象感知分野、目的とする場所、および装置からの信号受信で実行される手順を提供するよう求められる。中央管理機能はその後、個別信号ユニットのための固有の識別コードを発行する。また個別信号ユニットは製造時に、その固有の識別コードが事前にプログラム化されても良い。同様に、支払い目的のため申請ユーザーまたは所有者は、ＧＳＭ、ＧＰＲＳ、または他の通信システムを指名する。または代替的に、すべてのシステムの使用料に含まれるそのようなサービスの支払いのこの手配を、中央管理機能が行う。
【０１３７】
従って情報は、個別信号ユニットから受信される信号に応答する中央管理機能によって続く手順をプログラム化するため、中央管理機能に使用される。中央管理機能はまた、作動される（権限を与えられる）前に、ただしインフラストラクチャ項目への設置後、例として反復送信の頻度および間隔などの信号送信のパラメータを設定するため、個別信号ユニットにデータを送信しうる。
【実施例２】
【０１３８】
第二の好適な実施例では、本発明の個別信号ユニットは再び図１に示されるように、少なくとも一つの送受信機モジュール４０、再充電式電源供給および制御モジュール４２、および少なくとも一つの外部事象センサー４４、および論理回路４６を含む。しかしこの実施例では装置はさらに、個別信号ユニットに接続される装置からの、アナログまたはデジタルの入力を記録できるデータ保存装置が備わる。
【０１３９】
この実施例ではまた、装置はその固有の識別コードを中央管理機能に送信するだけに限らず、入力アナログまたはデジタルデータを、リアルタイムで、またはそのデータ既定の回数での保存装置からの検索、または中央管理機能のコマンド形式のいずれかで、送信することが可能である。
【０１４０】
従ってこの形態では、例としてビデオカメラ、録音装置、またはグローバル・ポジショニング・システム（ＧＰＳ）モジュールなどの設備が、個別信号伝達装置に入力装置としてアタッチされている。ＧＰＳモジュールの接続によって、個別信号ユニットは、既定の間隔または中央管理機能からの指令かのどちらかで、継続的にその位置を報告することが可能になる。同様に、ビデオカメラは既定の間隔または指令として、継続的に画像を送信しうる。また、カメラ、ＧＰＳモジュールなどからのデータは、個別信号ユニットのデータ保存装置（提供される場合）に、後の疑問点および中央管理機能へのダウンロードのために保存される。
【０１４１】
上記の好適な実施例のいずれかでは、個別信号ユニットは遠隔起動に適合される設備上に、またはその設備に提供される。従って、登録されたユーザーまたは他の許可された人物が、監視のための電源オフとスタンバイの間で装置を切り替えができる設備である。この設備は、 個別信号ユニット自体に内蔵、または入力デバイスに接続されたものとしての、無線周波数（ＲＦ）応答装置でありうる。
【０１４２】
接続性
多様な個別信号ユニット（ＩＳＵ）の柔軟性は、図２０Ａから２０Ｄに示される他の装置と適合されることができることである。図２０Ａに示されるそのもっとも単純な形態では、例として行動探知機１４０などのいくつかの感知装置が、ＩＳＵ上に提供される標準入力／出力（Ｉ／Ｏ）コネクタ１４４を経由してＩＳＵ１４２に接続される。この場合では、ＩＳＵ１４２は、行動センサーからの入力によって作動された場合、ＧＳＭネットワーク１４６を経由して、中央管理機能に信号を送信するよう構成されている（これらの図ではそのウェブサイト１４８によって表される）。中央管理機能のウェブサイト１４８はＩＳＵ１４２のユーザーから受信される事前に構築された指示に従って、受信した信号に実行する。この例では、ＳＭＳメッセージ１５０がユーザーの携帯電話１５２に送信される。
【０１４３】
２０Ｂによる配列図に示されるように、中央管理機能のウェブサイト１４８は、ＩＳＵ１４２のユーザー１５４と、いずれか一つのまたは組み合わせの、現存するあるいは今後の通信システム１５６を通して通信しうる。
【０１４４】
このように、図２０Ｃに示されるように、ＩＳＵ１４２および中央管理機能は、任意の信号送信の形を通して感知される事象からの信号を送受信されるよう構成され、およびさらに図２０Ｅに示されるように、ＩＳＵ１４２のユーザーまたは登録されたオーナーへのメッセージは、任意型の通信デ装置に送信されうる。
【０１４５】
これらにはＳＭＳメッセージ、インターネット、ボイス、ファクシミリ送信、ＧＰＲＳシステムの使用、電話、ページャー、および衛星が含まれうる。それゆえ、中央管理機能は事故の発生を、ユーザーの携帯電話、コンピュータ、固定電話、およびファクシミリ機に通信しうる。同様に中央管理機能は、他のＩＳＵ、プログラマブル・ロジック・コントローラー（ＰＬＣ）、または指定のデータベースへの送信データと、適切に通信するものでありうる。従って、例としてＰＬＣ、アクチュエーター、またはモーターおよびそのような出力装置をＩＳＵに接続することにより、実行されうる所定のステップまたは対策は、ＩＳＵが設置される遠隔地域での処理の開始を含むことが可能になる。
【０１４６】
また２０Ｄおよび２０Ｅに示されるように、ＩＳＵは限定されない例として、ＵＳＢおよびＲＦポート、インフラレッド、Ｗｉ／Ｆｉ、ブルートゥース、およびファイヤーウォール・レシーバーを含む、複数の標準入力／出力コネクタ１６０から構成されうる。一つかそれ以上のこれらのコネクタのいずれかと通信するセンサー１６２は、行動探知機、スイッチ、電話、計測器、データソース、プログラマブル・ロジック・コントローラー、および他の付属品を含みうる。
【０１４７】
その構成により、ＩＳＵ１４２は中央管理機能のウェブサイト１４８と、任意の複数の分散型通信システム１５８によって通信しうる。図２０Ｅに示されるように、これらには、ＧＳＭまたは他の携帯電話ネットワーク、衛星基盤システム、インターネット、ワイヤレス・ブロードバンド、銅製電話ネットワーク、およびボイスを含みうる。
【０１４８】
メッセージまたは他の形態の通信をＩＳＵユーザーまたは登録されたオーナーに送信するのに使用されるこれらの通信システムに加えて、中央管理機能は、図２０Ｆに示されるように、他のサービスプロバイダ１６２との通信のために同じシステムを使用しうる。ＧＳＭネットワークを経由して利用可能な追跡システムの使用では、図２０Ｇに図式化して示されるように、ＩＳＵの信号はその位置の決定するために使用されうる。
【０１４９】
図２０Ｈはまたさらに、使用されうる感知装置とＩＳＵの接続方法の例を示す。広告板に関連するセンサー１６２は、気温、群集の大きさ、または広告の効果に関連する他のパラメータを監視する。これらの計測に基づき、およびユーザーの構築された指示に従って、ＩＳＵは最も適切な広告情報を提供しうるので、それによる割増金を請求することが可能である。
【０１５０】
本発明による監視システムのさらにいくつかの特徴は、以下を含む。
・ＩＳＵおよびサーバーはプログラム化が可能であり、および広い範囲の入力を支援することが可能である。
・ＩＳＵは前述の入力および出力に限定されない。追加または代替の入力および出力は設計に容易に追加されることが可能である。
・ＩＳＵは、分散通信システムが利用可能であるものによって、ＣＤＭＡ、３Ｇ、および衛星を含む様々な送信機構を支援することが可能である。
・中央管理機能のメッセージサーバーは、将来の増加するトラフィックを支援するため、複製またはアップグレードされることができる、拡大縮小が可能な構造に基づく。
・ＩＳＵはユーザーに状況情報を提供するため、簡易なＬＣＤまたは他のグラフィック・ディスプレイ装置を支援することが可能である。
・ＩＳＵはＯＥＭ（相手先商標製品の製造会社）モジュールとして製品に一体化されることが可能である。これはユーザーアップグレード式の、または工場適合型のオプションでありうる。
【産業上の利用可能性】
【０１５１】
本発明の監視システムは多数の方法で商業開発を先導する。これらのいくつかは以下のように要約される。
・他で開発された完全なシステムをＩＳＵ認定としてライセンス供与する。
・臨時ユーザーにＩＳＵを小売する。
・現存製品およびサービスを、ユーザーが構築可能なウェブ基盤システムに加入するよう招待する。
・追加のプログラム化およびシステムサービス料を請求する。
・特注の測量および制御アプリケーションを設立する。
・資産を監視する。例として、
○車両ケア
○セキュリティ
○革新的設備の雇用オプション
○三角測量
○自然保護および在庫追跡' 
○スケジューリング
○環境監視
・資産を管理する。例として、
○環境管理―地方自治体、国立公園、防衛
○プラント管理―工場、農場、地方自治体
○アクセス管理―遠隔ドア開放
【０１５２】
ＩＳＵ基盤の監視システムに関連する多数の活動から収入が得られうる。例として、
・装置の販売―ＩＳＵおよび付属品
・装置の賃貸
・月極登録料―ＩＳＵネットワーク、オプショナルサービス
・ネットワークサービス料金（ＳＭＳ、ＧＰＲＳなど）
・開発―プログラム化、デザイン
・特注または改良アプリケーションの年間ライセンス料
・他のサービスプロバイダのためのＩＳＵネットワークアクセス料
・産業協力コミッション（保険手数料など）
・監視代理店からのライセンス料（コールアウト・プロバイダなど）
【０１５３】
車両に適合される、および車両のオンボード・コンピュータと結合されるＩＳＵの図２４を参照して、車両は、ＩＳＵの登録された所有者が車両の様相に関連する様々な動作を構築することができる他の装置になる。図２４に示されるように、構築の一つのカテゴリーは、点検または修理に応答型でありうる見積もりからの、好ましいまたは可能性のある車両のためのサービス施設の一覧である。実績および満足度のレートは、第三者査定による集積データから集められたこれらの施設に割り当てられ、および中央管理機能に供給されうる。
【０１５４】
さらに図２５に示される構築可能なオプションは、車両の所有者または管理者が、車両の性能パラメータのデータを受信することである。
【０１５５】
図２６は、所定のサービス間隔で車両点検の手配をするための、車両のＩＳＵを使用した車両管理構築の可能な結果を示す。車両のオンボード・コンピュータを監視するＩＳＵは、与えられた走行距離表示に車両が達したことを中央管理機能に信号で伝える。これにより中央管理機能は、車両所有者によって登録時に指定された３つのサービスから適合されうるサービスの、点検および可能日時の見積もりを得ることができる。
【０１５６】
上記のサービスを車両搭載の適用のＩＳＵ購入者に提供するため、中央管理機能は、ＩＳＵ監視システムの登録されたユーザーにサービス提示および見積もり提供する意志のある、サービスプロバイダのデータベースを設立しうる。図２７は、サービスプロバイダが登録に使用しうる、指定を希望しうる任意の特別なサービスの詳細の提供を含む、ウェブ基盤のページを示す。
【０１５７】
本発明の監視システムの適用のこの態様は、中央管理機能にさらなる収入源を提供する。ＩＳＵ基盤の車両の所有者にサービス促進を希望する車両サービスプロバイダのための価格構造の例は、図２８に示される。
【０１５８】
構成部品
上記をより詳細に打ち出すものとして、ＩＳＵの原理構成材は以下のとおりである。
・ネットワークモジュール
○プロセッサ
○メモリー
・コネクタ
・電源
これらの広義の構成材モジュール内で、ＩＳＵは様々な特性のある様々なモデルに構成されうる。
・ネットワーク―交換可能
・コネクタ―多用途および適合性を重視
・容量―保存、データの送信量
・耐久性―気象耐性、耐水性、耐衝撃性
・電源―主電源、バッテリー、ソーラー。５年のスタンバイ期間持続を達成。
・小型化
【０１５９】
可能な構成の例として、ＩＳＵは以下のように構成されることが可能である。ＧＰＲＳモジュール  ＧＭ８６２、Ｉ／Ｏコネクタ（Ｊ４）  2214Ｒ−１６ＳＧ−８５、光ファイバー  Ｃ４３５８１５、ＬＥＤ（警告およびネットワーク）  ０８０５ＫＲＣＴ、スイッチ（オン／オフ）  ＥＬＴＳＡ−６３、ＵＳＢコネクタ  ５０７５ＢＭＲ０５ＳＭ、４ピン・エッジコネクタ  Ｓ４Ｂ−ＰＨ−Ｋ−Ｓ（出力）、８ピン・エッジコネクタ  Ｓ８Ｂ−ＰＨ−Ｋ−Ｓ（入力）、バッテリー  Ｓａｎｙｏ  ＵＦ５５３４４Ｆ、同軸ケーブル  ２２−ＳＭＡ−５０−０−５３。
【０１６０】
アタッチメント
ＩＳＵは事実上任意の信号生成装置からの入力を受容するのに適合されうる。いくつかの現在既知の例は、行動探知機、ブルートゥース・アクセサリ、アラーム、検出機、および応答機を含む。
【０１６１】
他のアタッチできるデバイスは、プログラマブル・ロジック・コントローラ（例として、自動販売機、ディスペンサー、ロボットに作用するようプログラム化されうる）、メッセージボード、遠隔監視システム、ＲＦネットワーク、およびリモートコントロールユニットを含む。
【０１６２】
使用
個別信号ユニット２２は中央管理機能１２に登録することにより、監視システム１０に追加される。そのような登録は、中央管理機能によって維持されるインターネット・ウェブサイトを通して申請ユーザーまたは所有者によって遂行されうる。個別信号ユニットによって監視されたデータは、登録された所有者または所有者に許可された第三者によってのみ、ユニットの初期登録時に設定されたユーザーネームおよびパスワードを通してアクセスすることが可能である。
【０１６３】
パブリック・ユーザー
装置の新規個人ユーザーは、例として携帯電話小売店など任意の許可された直販店で個別信号ユニット２２を購入しうる。同様に購入者は、同じく許可された直販店で入手可能なまたは正式認可サプライヤーから得られる、個別信号ユニットに適合する様々な標準センサーから選択できる。好ましくは、個別信号ユニットは入力コネクタ６４を経由して、入力として４つまでの個別のセンサー装置に順応するよう適合される。従って例として、個別信号ユニットは、行動探知機、ビデオカメラ、マイク、そして煙探知機（図示せず）を接続しうる。
【０１６４】
また好ましくは、個別信号ユニット２２は出力コネクタ６６を経由して、セキュリティライトまたはオーディオアラームなどを例とする外部装置に接続されうる、少なくとも二つの出力リレーが備わる。
【０１６５】
設備が使用できるために、新規所有者は中央管理機能に、好ましくは中央管理機能によって維持されるインターネット・ウェブサイトを通して、または電話で、登録しなければならない。図６から１２を参照して、中央管理機能のウェブサイトを通しての登録の手順は以下のステップを含む。
１．ウェブサイトにログオンし、図６に示されるように登録１００のオプションを選択した後、図７に示されるように、所有者は個人詳細１０２を入力し、およびユーザーネーム１０４とパスワード１０６を後の中央管理機能との交流のため選択する。
２．この時点で、所有者はまた、請求書のために中央管理機能でアカウントを設立することが求められる。
３．次に、図８に示されるように、所有者は購入した個別信号ユニットの固有の識別コード番号１１０を入力するよう案内される。これは購入された装置の包装の中に、または好ましくは装置本体に接着された剥がせるシールに印刷されて提供されうる。（例として、図４に示されるように、カバー部分５４の空間７２に）
４．装置にディスプレイモジュールが備わる場合は、ユニットに電源が供給されたとき、つまり初めにスイッチが入れられたときに、確認コードがディスプレイされる。この、番号１１２はまた、図９に示されるように入力される。
５．図１０に示されるように、識別を容易にするため、所有者は短い説明１１４、通常は信号伝達装置の機能または場所、および接続されるセンサー（複数可）に関連して、指定してよい。
予期せぬ場合、または設置場所から動かすことができない場合の固定される装置のため、地理的な位置はＧＰＳユニットからの調整を記録することにより、登録時に特定されうる。
６．所有者はその後、どのセンサーユニットまたはユニットが個別信号ユニットに接続されるのかを、図１１に示されるアイコン１１６をクリックするか、または図１２に示されるドロップ・ダウン・メニューから指定するよう案内される。
７．登録手続が完了すると、所有者は個別信号ユニットを構築する機会が与えられる。これは装置によって送信される信号への応答で中央管理機能によって従われるプロトコルを設立することである。
８．図１３に示されるように、装置の監視は特定された時間１２２内に、または継続されて行われうる。明確に、装置が店舗に設置される例では、業務時間中の望ましい屋外でのみセキュリティ目的の監視がされうる。
９．図１４に示されるウェブサイトページの入力によって、所有者は報告される警告状況のために得られるべき状況１２４への、いくつかのパラメータを特定することができる。
１０．図１５に示されるように、所有者はその後、警告状況が発生した場合に所有者に送られるメッセージ１２６を指定してよい。
１１．図１６のウェブサイトページへの入力により、所有者は、中央管理機能によって警告メッセージが送信される一つかそれ以上の方法１２８を指定できる。
これにより所有者は、例として、個別信号ユニットの設置の場所を調査するよう指示されうる警備機関など、サービスサプライヤーの指定もできるようになる。
さらに、コマンドは、セキュリティライトのスイッチを入れるなど、個別信号ユニット出力に接続されうる任意の外部装置（複数可）を作動するよう特定されることが可能である。
【０１６６】
この一連のステップは、個別信号ユニット、付属のセンサー、および任意の出力装置（複数可）の登録および構築、および登録された個別信号ユニットから信号が受信された場合に、中央管理機能によって取られる応答ステップを完了する。
【０１６７】
登録および構築に加えて、中央管理機能ウェブサイトは、登録された個別信号ユニットの所有者（または他の許可された人物）によって、例としてセキュリティ・ユーザーネームおよびパスワードを入力することにより、いつでもアクセスされうる。そしていくつかのオプション１３０が、図１７に示されるように、個別信号ユニットの所有者に提示される。
【０１６８】
利用可能なオプションの一つは、個別信号ユニットの場所の設備である。
このオプションが選択されると、しかし個別信号ユニットはＧＰＳモジュールに適合されなくても、中央管理機能は個別信号ユニットに、三つかそれ以上の分散型通信ネットワークのステーションからその場所の三角測量を可能にするのに十分な時間、その固有の識別コードを送信するよう指令が可能である。この位置はその後、図１８に示されるように、マップ１３２および地図に重ねられ、および個別信号ユニットの所有者にリレーされた検出位置が印される。
【０１６９】
登録された所有者が利用可能な他のオプションは、登録された個別信号ユニットの再構築ができることである。これは例として、装置が他の場所に移動される場合、異なるアプリケーションに使用される場合、センサーが追加または装置から削除された場合に望ましいであろう。
【０１７０】
登録された所有者の利用可能な三つ目のオプションは、装置の現在の状況およびその事象履歴の確認である。図１９に示されるように、この情報は所有者に表形式で表示されうる。例に示されるように、この所有者は中央管理機能に登録された四つの装置１３４を所有しており、および現在の状態、同様にそれぞれの感知デバイスによって報告された検出された事故の記録を、一瞥で見ることが可能である。
【０１７１】
“用具置場１”の例では、用具置場は、工事現場に無人で残された土木機材プラントの項目に設置された個別信号ユニットに適合されうる。表形式の履歴は、妨げとなった時間、日付表示１３６を示す。個別信号ユニットに関連する事前にプログラム化された手順によって、所有者または設備に責任のある職員は、数分内に警告を受けうる。警告メッセージは、例として電話、携帯電話のテキストメッセージ、ファクシミリ、またはＥメールなど、任意の好ましいまたは複数のメディアを経由して送信される。
【０１７２】
“Ｇｒａｎｄｍａ（祖母・おばあちゃん）”は、災難の状況を誰かに知らせる手段を高齢者（または病人）に与える、センサーがプッシュボタンである個人セキュリティモジュールに内蔵された個別信号ユニットでありうる。
【０１７３】
商用ユーザー
本発明の個別信号ユニットは、インフラストラクチャまたは器具類の項目に、製造時に内蔵（または改造）されうる。そのように内蔵された個別信号ユニットは、上記のパブリック・ユーザーで記述されたのと同様の方法で、中央管理機能に登録される。前記の街灯の適合の例では、好ましくは製造時に、センサーおよび個別信号ユニットが地方自治体の管理下の街灯に適合される。街灯それぞれの個別信号ユニットは、中央管理機能のコンピュータで維持されるデータに関連する固有の暗号化されたコードが割り当てられる。このデータは、適合される電球の型および特定の街灯の位置を含む。データはさらに、暗号化されたコード信号が中央管理機能によって受信されるときに取られる対策について設定される指示を含む。これは、メンテナンス部門、および電球の在庫をチェックし可能な補給が自動的になされるよう必要とされる電球の供給者への請求までものメッセージを含む。
【０１７４】
同様に、煙が検出されると信号伝達装置に入力を提供する煙探知回路のある煙警告機が、個別信号ユニットに内蔵されうる。この例では、信号伝達装置のための電源は煙探知機の電源供給と同じように供給されうる。
【０１７５】
他の例では、個別信号ユニットは、例としてコインが満杯、用紙切れ、または不正の状態などを感知するよう、パーキングメーターに内蔵されうる。
【０１７６】
さらに上記に暗に示される例は、様々な建物の内外の複数の場所で、個別信号ユニットに入力アタッチメントとしての磁気カードリーダーが内蔵またはアタッチされて提供されうる。警備員や清掃員は中央管理機能に信号を発するリーダーに適切なカードを通し、そしてその後、適切に指定された受信者へ建物が安全であること、または清掃が完了したことの通知を発する。
【０１７７】
個別信号ユニットは、例としてデューティサイクルを追跡するためのエンジン出力の上昇下降、サービス期間、および不適正使用を監視するよう、プラントおよび商業用車両に設置されうる。この例では、プラントまたは車両の所有者は中央管理機能にアクセスが可能で、およびプラントの操業した時間の記録およびサービス時間のログを獲得することができる。
【０１７８】
またさらに例は、適切なセンサーのある個別信号ユニットは、水量変化の初期警告を与えるため河川に設置されうる。
【０１７９】
他の場所での使用は、例として在庫や不正の状況に関する自動販売機の監視を含む。水やガスの供給設備などとして利用できるインフラストラクチャの項目もまた、使用量およびエラー状態が都合よく監視されうる。
【０１８０】
本発明の少なくとも一つの実施例では、中央管理機能によってとられる対策は、個別信号ユニットおよびセンサーまたはそれにアタッチされたセンサーの所有者から受信される第二層の指示を前提とされうる。例として装置の登録は、第一の通告を事象の所有者（または登録された所有者によって指名された許可された受信者）にした後に実行する、中央管理機能のための複数の選択的対策を含みうる。
【０１８１】
例として、個別信号ユニットが建設現場の現場事務所またはコンテナーの安全性を監視する場合、中央管理機能によってとられる可能な対策は、以下のものを含みうる。
１．無視。
２．契約された警備会社に連絡。
３．現場監督者に連絡。
４．隣人に連絡。
５．警察に連絡。
【０１８２】
建築現場に設置された個別信号ユニットからの信号の受信に続く、中央管理機能に記録された第一の指示は、所有者または許可された受信者にＳＭＳメッセージを送信することである。メッセージの受信者は“３４”の例のように応答しうる。中央管理機能はその後、現場監督（３）および隣人（４）に事象を通知することよって第二層の指示の可能な対策３および４を実行する。
【０１８３】
さらに、図２１から２３に要約された使用の例では、ＩＳＵは個人用または商用の車両の管理コンピュータと適合しうる。これによって、車両の多数の様相の管理、運転費用、性能、またサービスのスケジュールおよびサービスの利用可能性やサービスの見積もりの取得すらも可能になる。
【０１８４】
ＩＳＵのこの適用は、車のオンボード・コンピュータから任意のデータ送信を提供するため、前述したようなＩＳＵの例などの、レンタカーのオペレーターのための特定の使用のものである。これらは、例として不使用の間施錠がされないままになっている場合など、与えられた任意の時間における車両のドア施錠の状況を含む。
【０１８５】
任意の車両の鍵の紛失の場合、ＩＳＵは車両のドアを施錠し、およびこの指令が無効になるまで施錠したままにするよう指示されることが可能である。
【０１８６】
車両搭載ＩＳＵは、ワイヤレス・ブロードバンドを経由してインターネットにアクセスすることにより、音楽やビデオのダウンロード、リモート・コンピュータへのアクセス、およびインターネット・サーフィンのための使用など、車両のエンターテイメントシステムを拡大して使用されることが可能である。
【０１８７】
まだ図２２を参照に、ＩＳＵに適合するデバイスの追加により、盗難された車両の遠隔固定化、および様々なアラーム（警報）および車両が適合されるインジケーターの作動が可能になる。
【０１８８】
車両のオンボード・コンピュータから抽出された情報は、車両が遠隔地で誤動作に陥るときに指定の修理センターにリレーされるならば、修理の指示を得るため修理センターで使用されることが可能である。
【０１８９】
図２３は車両に設置されたＩＳＵの使用可能性の概説、および状況の監視または車両使用とその設備に関連する様々なパラメータの計測から続きうる対策を提供する。
【０１９０】
上記の個別信号ユニットおよび監視システムは、広く散在する場所でのあらゆる範囲の事象によって発生する警報の警告を、装置の所有者かつ／またそれらのサービスプロバイダに警告の発生を最も効果的に対処できるよう広める、非常に柔軟なおよび効果的な方法を提供し、およびユニットの所有者は、取られる対策に連絡されることのできる環境下を指定できることが理解されるであろう。
【０１９１】
装置は以下を提供する。
・マシン同士のグローバル・コミュニケーション
・距離独立
・位置独立
・移動独立
・５分のＤＩＹ取り付け
・非常に多数の商品
【０１９２】
本発明の個別信号ユニット（ＩＳＵ）システムは、人、製品、およびサービスのミッシングリンクを提供する。
・無制限な範囲および多用途性のあるＩＳＵプラットフォームは、世界中どこでも誰にでも、任意のネットワークを経由して情報を受信、およびユーザー構築された事象の環を開始することが可能である。
・ワールド・ワイドな製品およびサービスを、集中型システムに多様な使用および適用のためにもたらす能力がある。
・小型ＩＳＵ（小型ＭＰ３プレーヤーの大きさおよび外観と同等）は、わずかな設定でまたは設定がまったく必要なく、高度なプログラム化およびリソースにアクセスするよう適合されうる。
【０１９３】
上記の記述は本発明のいくつかの実施例のためのみのものであり、および本発明の範囲および精神を逸脱しない範囲で、変更が同業者によってなされることは明らかである。
【符号の説明】
【０１９４】
１０            監視装置
１２            中央管理機能
１４            データ処理サーバー
１６            データ保存
１８            送受信機
２０            通信衛星
２２            個別信号装置
２４            水門
２６            用具置場
２９            インターネット
３０            受信者
４０            送受信機モジュール
４２            再充電式電力供給および電力制御モジュール
４４            外部事象センサー
４６            論理回路
４８            ソーラーパネル
５０            エンクロージャー
５２            基部
５４            カバー部分
５６            通信モジュール
５８            アンテナジャック
６０            再充電式バッテリーモジュール
６２            電源入力／出力
６４            センサー入力
６６            出力コネクタ
６８            ＵＳＢポート
７０            状況表示発光ダイオード
７２            空間
７４            ＧＳＭエンジン
７５            バッテリー充電機
１００            登録
１０２        個人詳細
１０４            ユーザーネーム
１０６        パスワード
１１０            識別コード
１１２            番号
１１４            記述
１１６            アイコン
１２０            ドロップ・ダウン・メニュー
１２２            特定時間
１２４            状況
１２６            メッセージ
１２８            方法
１３０            オプション
１３２            マップ、地図
１３４            （４つの）装置
１３６            （時間、日付）表示
１４０            行動探知機
１４２            個別信号装置（ＩＳＵ）
１４４            入力／出力（Ｉ／Ｏ）コネクタ
１４６            ＧＳＭネットワーク
１４８            ウェブサイト
１５０            ＳＭＳメッセージ
１５２            携帯電話
１５４            ユーザー
１５６            通信システム
１５８        分散通信システム
１６０            標準入力／出力コネクタ
１６２            サービスプロバイダ
１６２        センサー
Ｄ１            ネットワーク状況表示
Ｄ２            プロテクション・デバイス
Ｄ３            プロテクション・デバイス
Ｄ４            プロテクション・デバイス
Ｄ５            プロテクション・デバイス
Ｄ６            バッテリー状況表示
ＩＮ１            外部事象センサー
ＩＮ２            外部事象センサー
ＩＮ３            外部事象センサー
ＩＮ４            外部事象センサー
Ｊ１            出力コネクタ
Ｊ２            入力コネクタ
Ｊ３            ＵＳＢコネクタ
Ｊ４            アタッチメント・コネクタ
ＯＵＴ１      制御出力
ＯＵＴ２      制御出力
Ｑ１            トランジスタ
Ｑ２            トランジスタ
Ｓ１            プッシュボタンスイッチ
Ｕ３            インターフェース・コンポーネント
Ｕ４            インターフェース・コンポーネント
Ｕ５            インターフェース・コンポーネント
Ｕ６            ＵＳＢインターフェース・デバイス
Ｕ７            プロテクション・デバイス
【図１】
2009543484.tif 000003
【図２】
2009543484.tif 000004
【図３】
2009543484.tif 000005
【図４】
2009543484.tif 000006
【図５】
2009543484.tif 000007
【図６】
2009543484.tif 000008
【図７】
2009543484.tif 000009
【図８】
2009543484.tif 000010
【図９】
2009543484.tif 000011
【図１０】
2009543484.tif 000012
【図１１】
2009543484.tif 000013
【図１２】
2009543484.tif 000014
【図１３】
2009543484.tif 000015
【図１４】
2009543484.tif 000016
【図１５】
2009543484.tif 000017
【図１６】
2009543484.tif 000018
【図１７】
2009543484.tif 000019
【図１８】
2009543484.tif 000020
【図１９】
2009543484.tif 000021
【図２０Ａ】
2009543484.tif 000022
【図２０Ｂ】
2009543484.tif 000023
【図２０Ｃ】
2009543484.tif 000024
【図２０Ｄ】
2009543484.tif 000025
【図２０Ｅ】
2009543484.tif 000026
【図２０Ｆ】
2009543484.tif 000027
【図２０Ｇ】
2009543484.tif 000028
【図２０Ｈ】
2009543484.tif 000029
【図２１】
2009543484.tif 000030
【図２２】
2009543484.tif 000031
【図２３】
2009543484.tif 000032
【図２４】
2009543484.tif 000033
【図２５】
2009543484.tif 000034
【図２６】
2009543484.tif 000035
【図２７】
2009543484.tif 000036
【図２８】
2009543484.tif 000037
【手続補正書】
【提出日】平成19年12月10日(2007.12.10)
【手続補正１】
【補正対象書類名】特許請求の範囲
【補正対象項目名】全文
【補正方法】変更
【補正の内容】
【特許請求の範囲】
【請求項１】
個別信号ユニットおよび少なくとも一つの外部事象センサーを含む監視システムにおいて、前記システムは前記少なくとも一つの外部事象センサーによって感知される事故に応答し、前記システムの応答は第一に、前記個別信号ユニットのための少なくとも一つの固有の識別コードの前記個別信号ユニットによる送信を含み、前記送信は通信ネットワークを通して中央管理機能になされ、前記応答は第二に、前記中央管理機能で保存されるプロトコルに従った既定のステップの実行を含み、前記ステップは、前記個別信号ユニットの登録された所有者によって指定される一つかそれ以上の受信者へのデータ送信を含み、前記プロトコルは、前記中央管理機能によって維持されるウェブ基盤インターフェースへのデータ入力を用いて前記登録された所有者によって事前に構築されることを特徴とする監視システム。
【請求項２】
前記第一の前記応答は、前記個別信号ユニットへのデジタルまたはアナログデータ入力を含む、請求項１に記載の監視システム。
【請求項３】
前記デジタルまたはアナログデータ入力は、前記中央管理機能にリアルタイムで送信される、請求項２に記載の監視システム。
【請求項４】
前記デジタルまたはアナログデータ入力は送信の前に、前記個別信号ユニットのデータ保存装置に保存される、請求項２に記載の監視システム。
【請求項５】
前記少なくとも一つの外部事象センサーは前記個別信号ユニットに内蔵される、請求項１から４のいずれか一つに記載の監視システム。
【請求項６】
前記個別信号ユニットは前記外部事象センサーに内蔵される、請求項１から５のいずれか一つに記載の監視システム。
【請求項７】
前記少なくとも一つの外部事象センサーは前記個別信号ユニットの外部にあり、前記外部事象センサーは前記個別信号ユニットの入力ポートに接続される、請求項１から５のいずれか一つに記載の監視システム。
【請求項８】
前記個別信号ユニットはさらに再充電式電力供給を含む、請求項１から７のいずれか一つに記載の監視システム。
【請求項９】
前記再充電式電力供給はソーラー電池によって再充電できる、請求項８に記載の監視システム。
【請求項１０】
前記ウェブ基盤インターフェースは少なくとも一つのウェブページを含み、前記ウェブページは少なくとも一つのデータ入力フィールドが備わる、請求項１から９のいずれか一つに記載の監視システム。
【請求項１１】
前記個別信号ユニットは固有の個別信号ユニット識別コードが備わり、前記固有の個別信号ユニット識別コードは前記中央管理機能に送信される前記信号から構成される、請求項１から１０のいずれか一つに記載の監視システム。
【請求項１２】
前記少なくとも一つの外部事象センサーはそれぞれ、前記固有の識別コードの固有の一連の反復送信に関連し、前記固有の一連の反復送信は前記中央管理機能に送信される前記信号から構成される、請求項１から１１のいずれか一つに記載の監視システム。
【請求項１３】
前記個別信号ユニットはそれぞれ、少なくとも一つの外部事象センサーが備わる、請求項１から１２のいずれか一つに記載の監視システム。
【請求項１４】
前記少なくとも一つの外部事象センサーは、前記センサーの刺激での変化に応答するよう適合される、請求項１３に記載の監視システム。
【請求項１５】
前記少なくとも一つの外部事象センサーは所定の刺激に応答するよう適合される、請求項１３または１４に記載の監視システム。
【請求項１６】
前記個別信号ユニットは、前記刺激での変化で前記少なくとも一つの外部事象センサーからの入力信号を受信する、請求項１４または１５に記載の監視システム。
【請求項１７】
前記中央管理機能は前記通信ネットワークと通信する送受信機モジュールを含む、請求項１から１６のいずれか一つに記載の監視システム。
【請求項１８】
前記送受信機モジュールはサーバーおよびデータ保存装置にリンクされ、前記サーバーおよびデータ保存装置は前記個別信号ユニットから受信される信号を処理するよう適合される、請求項１７に記載の監視システム。
【請求項１９】
前記サーバーおよびデータ保存装置は少なくとも一つの事前にプログラム化された出力を開始するよう適合され、前記少なくとも一つの出力は前記固有の識別コードによって決まる、請求項１８に記載の監視システム。
【請求項２０】
前記個別信号ユニットは少なくとも一つの入力が備わり、前記少なくとも一つの入力は一つの前記少なくとも一つの外部事象センサーと通信するよう適合される、請求項１から１９のいずれか一つに記載の監視システム。
【請求項２１】
前記個別信号ユニットは少なくとも一つの出力が備わり、前記少なくとも一つの出力は外部装置を制御する、請求項１から２０のいずれか一つに記載の監視システム。
【請求項２２】
前記サーバーおよびデータ保存装置は、少なくとも一つの指定された受信者に既定の通信を開始するよう適合され、前記通信は前記個別信号ユニットから受信される信号によって決まる、請求項１９から２１のいずれか一つに記載の監視システム。
【請求項２３】
前記少なくとも一つの指定された受信者は、前記監視システムに登録された前記個別信号ユニットの所有者である、請求項１から請求項２２のいずれか一つに記載の監視システム。
【請求項２４】
前記少なくとも一つの指定された受信者は、前記個別信号ユニットの前記所有者によって指定されるサービスプロバイダである、請求項１から請求項２３のいずれか一つに記載の監視システム。
【請求項２５】
個別信号ユニットにおいて、前記個別信号ユニットはそれぞれ、
（ａ）送受信機モジュール
（ｂ）再充電式電源供給および電源制御モジュール
（ｃ）論理回路
（ｄ）少なくとも一つの外部事象センサー
を含み、および、前記個別信号ユニットから中央管理機能への信号によって、前記中央管理機能は複数の所定のステップを実行し、
前記所定のステップは、前記個別信号ユニットの所有者によって事前に構築されることを特徴とする監視システム。
【請求項２６】
監視システムのための装置において、前記装置は個別信号ユニット、および前記個別信号ユニットに接続される少なくとも一つの所有者選択式外部事象センサーから構成され、前記個別信号ユニットおよび前記少なくとも一つのセンサーは前記ユーザーによって中央管理機能に登録され、前記個別信号ユニットは前記少なくとも一つのセンサーが事故を検出するとき、前記中央管理機能に固有の装置識別コードを送信するようプログラム化され、前記中央管理機能は前記所有者によって前記ユニットの登録で設立されたプロトコルに従って送信される前記固有の識別コードに応答し、前記プロトコルは前記中央管理機能によって維持されるウェブサイトのページとの相互作用を通して設立されることを特徴とする監視システム。
【請求項２７】
インターネットおよび通信システムによって可能である監視システムにおいて、前記システムは複数の個別信号ユニットを含み、前記システムはそれぞれ、前記個別信号ユニットの所有者によって選択される少なくとも一つの外部事象センサーに接続され、それぞれの前記個別信号ユニットおよび前記少なくとも一つのセンサーは、前記所有者によって前記インターネットを通じて中央管理機能に登録され、前記中央管理機能は、前記所有者による登録で設立されたプロトコルに従って前記外部事象センサーによって感知される事故に応答する、ことを特徴とする監視システム。
【請求項２８】
関心項目の状況を監視する方法において、前記方法は、以下のステップを含んでいる：
（ａ）個別信号ユニット、および前記個別信号ユニットに接続するための少なくとも一つの所有者選択式センサーの所有者による、購入。
（ｂ）前記個別信号ユニットおよび前記少なくとも一つの外部事象センサーを、中央管理機能に登録。
（ｃ）前記個別信号ユニットによって送信される信号の前記中央管理機能による受信で、前記中央管理機能によって実行できる応答を構築、
前記応答は、前記個別信号ユニットおよび前記少なくとも一つの外部事象センサーの前記中央管理機能への登録時に前記所有者によって事前に指定される複数の所定のステップを含む、ことを特徴とする監視システム。
【請求項２９】
前記個別信号ユニットは前記個別信号ユニットの固有の識別コードを含む、請求項２８に記載の方法。
【請求項３０】
前記個別信号ユニットの前記登録は、
（ａ）前記中央管理機能によって維持されるウェブサイトにアクセスする。
（ｂ）ユーザーネームおよびパスワードを中央管理機能で設立する。
（ｃ）前記ウェブサイトに前記個別信号ユニットの登録コードを入力。
（ｄ）前記個別信号ユニットのためにユーザーに選択された識別ネームを入力。
（ｅ）前記個別信号ユニットに接続される一つかそれ以上の外部事象センサーの詳細を入力。
（ｆ）前記中央管理機能によって実行できる前記応答の詳細を入力。
のステップを含む、請求項２８または２９に記載の方法。
【請求項３１】
地理的に散在するインフラストラクチャの項目の、少なくとも一つの様相の状態を監視する方法において、前記方法は以下のステップ：
（ａ）個別信号をそれぞれの前記インフラストラクチャの項目に設定する。
（ｂ）前記個別信号ユニットに、少なくとも一つの外部事象センサーおよび信号送受信機を提供する。
（ｃ）通信ネットワークを経由して、前記個別信号ユニットを中央管理機能にリンクする。
（ｄ）前記中央管理機能にサーバーおよびデータ保存装置を提供し、前記装置は前記個別信号伝達装置から受信される信号に、事前にプログラム化された応答を実行するよう適合される。
を含む監視システム。
【請求項３２】
インフラストラクチャの監視システムの装置において、前記装置は、中央管理機能と少なくとも一つの通信衛星を経由して通信する複数の地理的に散在する個別信号伝達装置を含み、前記個別信号ユニットは、前記インフラストラクチャの項目の状況変化が生じた場合に、第一のスタンバイ状態から第二の電源入力状態に変えるよう適合され、それぞれの個別信号ユニットは、前記電源入力状態の間前記中央管理機能に信号を送信し、前記信号はプログラム化された所定の一連の応答を始動させ、前記個別信号ユニットはそれぞれ、前記信号の送信後前記スタンバイ状態に戻ることを特徴とする監視システム。
【請求項３３】
前記個別信号伝達装置はそれぞれ、固有の信号伝達装置識別コードが備わり、前記固有の識別コードは前記中央管理機能に送信される前記信号から構成される、請求項３２に記載の装置。
【請求項３４】
前記個別信号伝達装置はそれぞれ、信号送受信機モジュールが備わる、請求項３２または３３に記載の装置。
【請求項３５】
前記個別信号伝達装置はそれぞれ、再充電式電源供給が備わる、請求項３２から３４のいずれか一つに記載の装置。
【請求項３６】
前記再充電式電源供給はソーラー電池によって再充電できる、請求項３５に記載の装置。
【請求項３７】
前記個別信号伝達装置は少なくとも一つの外部事象センサーが備わる、請求項３２から３６のいずれか一つに記載の装置。
【請求項３８】
前記少なくとも一つの外部事象センサーは、前記インフラストラクチャの項目の状況変化に応答するよう適合される、請求項３７に記載の装置。
【請求項３９】
前記個別信号伝達装置は、前記状況変化で前記少なくとも一つの外部事象センサーから入力信号を受信する、請求項３７または３８に記載の装置。
【請求項４０】
前記少なくとも一つの外部事象センサーはそれぞれ、前記固有の識別コードの固有の一連の反復送信に関連し、前記固有の一連の反復送信は、前記中央管理機能に送信される前記信号から構成される、請求項３７から３９のいずれか一つに記載の装置。
【請求項４１】
前記個別信号伝達装置はそれぞれ、少なくとも一つの遠隔外部事象センサーからの信号を監視するよう適合される外部事象センサーインターフェースが備わる、請求項３７から４０のいずれか一つに記載の装置。
【請求項４２】
前記個別信号伝達装置はそれぞれ、不正防止監視手段が備わり、前記不正防止監視手段は前記固有の識別コードの前記固有の一連の反復送信の一つに関連する、請求項４０または４１のいずれか一つに記載の装置。
【請求項４３】
前記中央管理機能は前記少なくとも一つの衛星と通信する送受信機モジュールを含む、請求項３２から４２のいずれか一つに記載の装置。
【請求項４４】
前記送受信機モジュールはサーバーおよびデータ保存装置にリンクされ、前記サーバーおよびデータ保存装置は、いずれか一つの前記個別信号伝達装置から受信される信号を処理するよう適合される、請求項４３に記載の装置。
【請求項４５】
前記サーバーおよびデータ保存装置は事前にプログラム化された複数の出力のいずれかを開始し、前記出力は前記固有の識別コード、および前記信号受信から構成される前記固有の識別コードの前記固有の一連の反復送信によって決まる、請求項４４に記載の装置。
【請求項４６】
前記サーバーおよびデータ保存装置は、前記個別信号伝達装置に送信するためのコード化されたデータを開始するよう適合される、請求項４４または４５に記載の装置。
【請求項４７】
前記個別信号伝達装置に送信される前記コード化されたデータは、前記一つかそれ以上の外部事象センサーから受信される入力への、前記個別信号伝達装置によってプログラム化された応答のための指示を含む、請求項４６に記載の装置。
【請求項４８】
前記個別信号伝達装置は少なくとも一つの出力リレーが備わり、前記少なくとも一つの出力リレーは外部装置を制御するよう適合される、請求項３２から４７のいずれか一つに記載の装置。
【請求項４９】
前記サーバーおよびデータ保存装置は、少なくとも一つの指定された受信者に既定の通信を開始するよう適合され、前記通信は前記個別信号伝達装置から受信される信号によって決まる、請求項４４から４８のいずれか一つに記載の装置。
【請求項５０】
前記少なくとも一つの指定された受信者は前記監視システムの登録されたユーザーである、請求項４９に記載の装置。
【請求項５１】
前記少なくとも一つの指定された受信者は前記監視システムへのサービスプロバイダである、請求項４９に記載の装置。
【請求項５２】
前記監視システムの前記登録されたユーザーは、前記個別信号伝達装置および少なくとも一つの外部事象センサーを、インターネットを通じて前記中央管理機能に登録することが可能である、請求項５０に記載の装置。
【請求項５３】
前記個別信号伝達装置の登録は、前記個別信号ユニットおよび前記中央管理機能による、外部センサー事象への応答に関連するデータの提供が含まれる、請求項５２に記載の装置。
【請求項５４】
地理的に散在するインフラストラクチャの項目の、少なくとも一つの様相の状況を監視する方法において、前記方法は、以下のステップ：
（ａ）前記インフラストラクチャの項目それぞれに、個別信号伝達装置を設定する。
（ｂ）前記個別信号伝達装置に、少なくとも一つの外部事象センサーおよび信号送受信機を提供する。
（ｃ）衛星リンクを経由して前記個別信号伝達装置を中央管理機能にリンクする。
（ｄ）前記中央管理機能にサーバーおよびデータ保存装置を提供し、前記装置は前記個別信号伝達装置から受信される信号に、事前にプログラム化された応答を実行するよう適合される。
を含む監視システム。
【請求項５５】
前記個別信号伝達装置はそれぞれ、
（ａ）送受信機モジュール
（ｂ）再充電式電力供給および電力制御モジュール
（ｃ）論理回路
（ｄ）少なくとも一つの外部事象センサー
を含む、請求項５４に記載の方法。
【請求項５６】
前記方法はさらに、
（ａ）前記個別信号伝達装置それぞれに、固有の信号伝達装置識別コードを提供する。
（ｂ）前記識別コードの固有の一連の反復送信を、前記外部事象センサーそれぞれに関連付ける。
（ｃ）前記インフラストラクチャの項目の前記状況変化が発生した場合、前記信号伝達装置の前記固有の一連の反復送信識別コードから構成される信号を前記中央管理機能に送信するよう、前記個別信号伝達装置をプログラム化する。
（ｄ）前記事前にプログラム化された応答を、前記個別信号ユニットから受信される信号に実行する。
のステップを含む、請求項５４または５５に記載の方法。
【請求項５７】
前記事前にプログラム化された応答を、前記個別信号ユニットから受信される信号に実行する方法。
【請求項５８】
本文中に記述され、および添付の図によって参照される、地理的に散在するインフラストラクチャの項目の状況変化のための監視システムの装置。
【請求項５９】
個別信号ユニットにおいて、前記個別信号ユニットはそれぞれ、
（ａ）送受信機モジュール
（ｂ）再充電式電力供給および電力制御モジュール
（ｃ）論理回路
（ｄ）複数の選択式外部事象センサーの少なくとも一つ
を含み、前記個別信号ユニットから中央管理機能への前記信号によって、前記中央管理機能は複数の所定のステップを実行し、前記所定のステップは前記個別信号ユニットの所有者によって構築されることを特徴とする監視システム。
【請求項６０】
個別信号ユニットを含む監視システムにおいて、前記個別信号ユニットは、事象センサーが前記個別信号ユニットを起動するときに中央管理機能と通信し、前記中央管理機能は前記個別信号ユニットからの通信の受信で複数の所定のステップを実行し、前記所定のステップは前記個別信号ユニットの所有者または登録されたユーザーによって構築される、ことを特徴とする監視システム。
【請求項６１】
前記個別信号ユニットと前記中央管理機能の間の通信は距離によって制限されない、請求項５９に記載のシステム。
【請求項６２】
前記個別信号ユニットは前記中央管理機能に関連していずれの場所に設置されうる、請求項５９または６０に記載のシステム。
【請求項６３】
前記個別信号ユニットは前記中央管理機能から独立して移動できる、請求項５９から６１のいずれか一つに記載のシステム。
【請求項６４】
前記個別信号ユニットと前記中央管理機能の間の前記通信はいずれの通信ネットワークを用いる、請求項６０から６２のいずれか一つに記載のシステム。
【請求項６５】
前記所定のステップは、前記中央管理機能と前記個別信号の前記所有者または登録されたユーザーの間の通信を含む、請求項５９から６３のいずれか一つに記載のシステム。
【請求項６６】
前記中央管理機能と前記所有者または登録されたユーザーの間の通信は、いずれの通信ネットワークを用いる、請求項５９から６３のいずれか一つに記載のシステム。
【請求項６７】
前記所定のステップは、前記所定のステップの第一層および第二層を含みうる、請求項５９から６５のいずれか一つに記載のシステム。
【請求項６８】
前記所定のステップの第二層の選択される一つは、前記中央管理機能と前記所有者または登録されたユーザーの間の前記通信への応答に従って、前記中央管理機能によって実行されうる、請求項６６に記載のシステム。
【請求項６９】
前記個別信号ユニットはプログラム化が可能である、請求項５９から６７のいずれか一つに記載のシステム。
【請求項７０】
前記個別信号ユニットはグラフィック・ディスプレイを含む、請求項５９から６８のいずれか一つに記載のシステム。
【請求項７１】
前記個別信号ユニットは、いずれの外部感知装置からの信号入力に順応するよう構築が可能である、請求項５９から６９のいずれか一つに記載のシステム。
【請求項７２】
前記個別信号ユニットは、いずれの前記通信ネットワークへの出力信号を許可するよう構築が可能である、請求項５９から７０のいずれか一つに記載のシステム。
【請求項７３】
前記個別信号ユニットは、相手先商標製品の製造会社（ＯＥＭ）モジュールとして製品に統合されるよう適合される、請求項５９から７１のいずれか一つに記載のシステム。
【請求項７４】
前記中央管理機能はデータベースおよびサーバーを含み、前記中央管理機能は前記サーバーでインターネット・ウェブサイトを維持する、請求項５９から７２のいずれか一つに記載のシステム。
【請求項７５】
前記システムは資産監視の手段を提供し、前記資産監視は前記資産に影響を及ぼす事故を前記所有者または登録されたユーザーに警告する、請求項５９から７３のいずれか一つに記載のシステム。
【請求項７６】
前記所定のステップは、前記個別信号ユニットに接続される出力デバイスの起動を含む、請求項５９から７４のいずれか一つに記載のシステム。
【請求項７７】
監視システムから収入を得る方法において、前記監視システムは中央管理機能と通信する遠隔設置される個別信号ユニットを含み、前記方法は：
（ａ）前記個別信号ユニットの販売
（ｂ）前記個別信号の賃貸
（ｃ）期間登録費の料金
（ｄ）ネットワークサービス料金
（ｅ）開発、プログラミング、およびデザイン料金
（ｆ）特注または改良アプリケーションのライセンス料金
（ｇ）産業協力コミッションの収集
（ｈ）監視代理店およびサービスプロバイダのライセンス料
を含む監視システム。
【国際調査報告】
2009543484.tif 000038
2009543484.tif 000039
2009543484.tif 000040